(57)【特許請求の範囲】
【請求項１】
無線通信システムにおいて基地局によりＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）設定を送信する方法であって、前記方法は、
送信モード１乃至送信モード９において設定されたユーザ機器に前記ＣＳＩ−ＲＳ設定を送信することを含み、
２つのＣＳＩ（Ｃｈａｎｎｅｌ  Ｓｔａｔｅ  Ｉｎｆｏｒｍａｔｉｏｎ）サブフレーム集合が１つのサービングセルに対して設定される場合に、前記ＣＳＩ−ＲＳ設定は、第１ＺＰ（Ｚｅｒｏ  Ｐｏｗｅｒ）ＣＳＩ−ＲＳ設定を含むか、または、前記第１ＺＰ  ＣＳＩ−ＲＳ設定及び第２ＺＰ ＣＳＩ−ＲＳ設定を含み、
前記２つのＣＳＩサブフレーム集合が前記１つのサービングセルに対して設定されない場合に、前記ＣＳＩ−ＲＳ設定は、前記第１ＺＰ  ＣＳＩ−ＲＳ設定を含む、方法。
【請求項２】
前記第１ＺＰ ＣＳＩ−ＲＳ設定及び前記第２ＺＰ ＣＳＩ−ＲＳ設定に対して、それぞれ、ｚｅｒｏＴｘＰｏｗｅｒＲｅｓｏｕｒｃｅＣｏｎｆｉｇＬｉｓｔパラメータ及びｚｅｒｏＴｘＰｏｗｅｒＳｕｂｆｒａｍｅＣｏｎｆｉｇパラメータが独立して設定される、請求項１に記載の方法。
【請求項３】
前記２つのＣＳＩサブフレーム集合に基づくＣＳＩ報告を受けるステップをさらに含む、請求項１に記載の方法。
【請求項４】
前記２つのＣＳＩサブフレーム集合は、制限されたＣＳＩ測定サブフレーム集合に対応する、請求項３に記載の方法。
【請求項５】
無線通信システムにおいてユーザ機器によりＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）設定を受信する方法であって、前記方法は、
基地局から前記ＣＳＩ−ＲＳ設定を受信することを含み、
前記ユーザ機器は、送信モード１乃至送信モード９において設定され、
２つのＣＳＩ（Ｃｈａｎｎｅｌ  Ｓｔａｔｅ  Ｉｎｆｏｒｍａｔｉｏｎ）サブフレーム集合が１つのサービングセルに対して設定される場合に、前記ＣＳＩ−ＲＳ設定は、第１ＺＰ（Ｚｅｒｏ  Ｐｏｗｅｒ）ＣＳＩ−ＲＳ設定を含むか、または、前記第１ＺＰ  ＣＳＩ−ＲＳ設定及び第２ＺＰ ＣＳＩ−ＲＳ設定を含み、
前記２つのＣＳＩサブフレーム集合が前記１つのサービングセルに対して設定されない場合に、前記ＣＳＩ−ＲＳ設定は、前記第１ＺＰ  ＣＳＩ−ＲＳ設定を含む、方法。
【請求項６】
前記第１ＺＰ ＣＳＩ−ＲＳ設定及び前記第２ＺＰ ＣＳＩ−ＲＳ設定に対して、それぞれ、ｚｅｒｏＴｘＰｏｗｅｒＲｅｓｏｕｒｃｅＣｏｎｆｉｇＬｉｓｔパラメータ及びｚｅｒｏＴｘＰｏｗｅｒＳｕｂｆｒａｍｅＣｏｎｆｉｇパラメータが独立して設定される、請求項５に記載の方法。
【請求項７】
前記２つのＣＳＩサブフレーム集合に基づくＣＳＩを報告することをさらに含む、請求項５に記載の方法。
【請求項８】
前記２つのＣＳＩサブフレーム集合は、制限されたＣＳＩ測定サブフレーム集合に対応する、請求項５に記載の方法。
【請求項９】
無線通信システムにおいてＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）設定を送信する基地局であって、前記基地局は、
ＲＦ（Ｒａｄｉｏ  Ｆｒｅｑｕｅｎｃｙ）ユニットと、
プロセッサと
を備え、
前記プロセッサは、
送信モード１乃至送信モード９において設定されたユーザ機器に前記ＣＳＩ−ＲＳ設定を送信するように構成され、
２つのＣＳＩ（Ｃｈａｎｎｅｌ  Ｓｔａｔｅ  Ｉｎｆｏｒｍａｔｉｏｎ）サブフレーム集合が１つのサービングセルに対して設定される場合に、前記ＣＳＩ−ＲＳ設定は、第１ＺＰ（Ｚｅｒｏ  Ｐｏｗｅｒ）ＣＳＩ−ＲＳ設定を含むか、または、前記第１ＺＰ  ＣＳＩ−ＲＳ設定及び第２ＺＰ ＣＳＩ−ＲＳ設定を含み、
前記２つのＣＳＩサブフレーム集合が前記１つのサービングセルに対して設定されない場合に、前記ＣＳＩ−ＲＳ設定は、前記第１ＺＰ  ＣＳＩ−ＲＳ設定を含む、基地局。
【請求項１０】
無線通信システムにおいてＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）設定を受信するユーザ機器であって、前記ユーザ機器は、
ＲＦ（Ｒａｄｉｏ  Ｆｒｅｑｕｅｎｃｙ）ユニットと、
プロセッサと
を備え、
前記プロセッサは、
基地局から前記ＣＳＩ−ＲＳ設定を受信するように構成され、
前記ユーザ機器は、送信モード１乃至送信モード９において設定され、
２つのＣＳＩ（Ｃｈａｎｎｅｌ  Ｓｔａｔｅ  Ｉｎｆｏｒｍａｔｉｏｎ）サブフレーム集合が１つのサービングセルに対して設定される場合に、前記ＣＳＩ−ＲＳ設定は、第１ＺＰ（Ｚｅｒｏ  Ｐｏｗｅｒ）ＣＳＩ−ＲＳ設定を含むか、または、前記第１ＺＰ  ＣＳＩ−ＲＳ設定及び第２ＺＰ ＣＳＩ−ＲＳ設定を含み、
前記２つのＣＳＩサブフレーム集合が前記１つのサービングセルに対して設定されない場合に、前記ＣＳＩ−ＲＳ設定は、前記第１ＺＰ  ＣＳＩ−ＲＳ設定を含む、ユーザ機器。
【発明の詳細な説明】
【技術分野】
【０００１】
本発明は、無線通信システムに関し、特に、無線通信システムにおいて干渉測定リソース設定方法及びそのための装置に関する。
【背景技術】
【０００２】
本発明を適用できる無線通信システムの一例として、３ＧＰＰＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ７及びＲｅｌｅａｓｅ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ；ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡ（登録商標）に基づいてＬＴＥまで開発されているが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
本発明の目的は、無線通信システムにおいて干渉測定リソース設定方法及びそのための装置を提供することにある。
【０００８】
本発明で遂げようとする技術的課題は、上記の技術的課題に制限されず、言及していない他の技術的課題は、以下の記載から、本発明の属する技術の分野における通常の知識を有する者には明確に理解されるであろう。
【課題を解決するための手段】
【０００９】
上述した問題点を解決するための本発明の一様相である、無線通信システムにおいて基地局がチャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）設定を送信する方法は、第１チャネル状態情報（Ｃｈａｎｎｅｌ  Ｓｔａｔｅ  Ｉｎｆｏｒｍａｔｉｏｎ，ＣＳＩ）サブフレーム集合と第２チャネル状態情報（ＣＳＩ）サブフレーム集合を設定する情報要素（Ｉｎｆｏｒｍａｔｉｏｎ  Ｅｌｅｍｅｎｔ）を構成するステップと、少なくとも１つのＺＰ−ＣＳＩ−ＲＳ設定（Ｚｅｒｏ  Ｐｏｗｅｒ  ＣＳＩ−ＲＳ  ｃｏｎｆｉｇｕｒａｔｉｏｎ）を含むＣＳＩ−ＲＳ設定を送信するステップとを有し、前記ＣＳＩ−ＲＳ設定は、前記情報要素が設定されない第１端末と前記情報要素が設定される第２端末のための第１ＺＰ−ＣＳＩ−ＲＳ設定、及び前記第２端末だけのための第２ＺＰ−ＣＳＩ−ＲＳ設定を含むことを特徴とする。
【００１０】
また、前記第１端末は、送信モード１乃至送信モード９ベースの端末であり、
前記第２端末は、前記情報要素によって前記第１ＣＳＩサブフレーム集合及び前記第２ＣＳＩサブフレーム集合に基づいてＣＳＩ測定を行う、送信モード１乃至送信モード９ベースの端末であることを特徴とする。
【００１１】
また、前記第１ＺＰ−ＣＳＩ−ＲＳ設定及び前記第２ＺＰ−ＣＳＩ−ＲＳ設定のための、ｚｅｒｏＴｘＰｏｗｅｒＲｅｓｏｕｒｃｅＣｏｎｆｉｇＬｉｓｔパラメータ及びｚｅｒｏＴｘＰｏｗｅｒＳｕｂｆｒａｍｅＣｏｎｆｉｇパラメータは、互いに独立して定義されることを特徴とする。
【００１２】
また、前記方法は、前記第１ＣＳＩサブフレーム集合と前記第２ＣＳＩサブフレーム集合に基づくチャネル状態情報の報告を受けるステップをさらに有することを特徴とする。なお、前記第１ＣＳＩサブフレーム集合と前記第２ＣＳＩサブフレーム集合は、制限されたチャネル状態情報測定サブフレーム集合（Ｒｅｓｔｒｉｃｔｅｄ  ＣＳＩ  ｍｅａｓｕｒｅｍｅｎｔ  ｓｕｂｆｒａｍｅ  ｓｅｔ）であることを特徴とする。
【００１３】
上述した問題点を解決するための本発明の他の様相である、無線通信システムにおいて端末がチャネル状態情報（Ｃｈａｎｎｅｌ  Ｓｔａｔｅ  Ｉｎｆｏｒｍａｔｉｏｎ，ＣＳＩ）を報告する方法は、第１チャネル状態情報（Ｃｈａｎｎｅｌ  Ｓｔａｔｅ  Ｉｎｆｏｒｍａｔｉｏｎ，ＣＳＩ）サブフレーム集合と第２チャネル状態情報（ＣＳＩ）サブフレーム集合を設定する情報要素（Ｉｎｆｏｒｍａｔｉｏｎ  Ｅｌｅｍｅｎｔ）を受信するステップと、少なくとも１つのＺＰ−ＣＳＩ−ＲＳ設定（Ｚｅｒｏ  Ｐｏｗｅｒ  ＣＳＩ−ＲＳ  ｃｏｎｆｉｇｕｒａｔｉｏｎ）を含むＣＳＩ−ＲＳ設定を受信するステップとを有し、前記ＣＳＩ−ＲＳ設定は、第１ＺＰ−ＣＳＩ−ＲＳ設定及び前記情報要素が設定される時に適用される第２ＺＰ−ＣＳＩ−ＲＳ設定を含むことを特徴とする。
【００１４】
また、前記第１ＺＰ−ＣＳＩ−ＲＳ設定は、送信モード１乃至送信モード９ベースの端末のために定義され、前記第２ＺＰ−ＣＳＩ−ＲＳ設定は、前記情報要素によって、前記第１ＣＳＩサブフレーム集合及び前記第２ＣＳＩサブフレーム集合に基づいてＣＳＩ測定を行う、送信モード１乃至送信モード９ベースの端末のために定義されたことを特徴とする。
【００１５】
上述した問題点を解決するための本発明の更に他の様相である、無線通信システムにおいてチャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）設定を送信する基地局は、無線周波数ユニット（Ｒａｄｉｏ  ｆｒｅｑｕｅｎｃｙ  ｕｎｉｔ）と、プロセッサ（ｐｒｏｃｅｓｓｏｒ）とを備え、前記プロセッサは、第１チャネル状態情報（Ｃｈａｎｎｅｌ  Ｓｔａｔｅ  Ｉｎｆｏｒｍａｔｉｏｎ，ＣＳＩ）サブフレーム集合と第２チャネル状態情報（ＣＳＩ）サブフレーム集合を設定する情報要素（Ｉｎｆｏｒｍａｔｉｏｎ  Ｅｌｅｍｅｎｔ）を構成し、少なくとも１つのＺＰ−ＣＳＩ−ＲＳ設定（Ｚｅｒｏ  Ｐｏｗｅｒ  ＣＳＩ−ＲＳ  ｃｏｎｆｉｇｕｒａｔｉｏｎ）を含むＣＳＩ−ＲＳ設定を送信するように構成され、前記ＣＳＩ−ＲＳ設定は、前記情報要素が設定されない第１端末と前記情報要素が設定される第２端末のための第１ＺＰ−ＣＳＩ−ＲＳ設定、及び前記第２端末だけのための第２ＺＰ−ＣＳＩ−ＲＳ設定を含むことを特徴とする。
【００１６】
上述した問題点を解決するための本発明の更に他の様相である、無線通信システムにおいてチャネル状態情報（Ｃｈａｎｎｅｌ  Ｓｔａｔｅ  Ｉｎｆｏｒｍａｔｉｏｎ，ＣＳＩ）を報告する端末は、無線周波数ユニット（Ｒａｄｉｏ  ｆｒｅｑｕｅｎｃｙ  ｕｎｉｔ）と、プロセッサ（ｐｒｏｃｅｓｓｏｒ）とを備え、前記プロセッサは、第１チャネル状態情報（Ｃｈａｎｎｅｌ  Ｓｔａｔｅ  Ｉｎｆｏｒｍａｔｉｏｎ，ＣＳＩ）サブフレーム集合と第２チャネル状態情報（ＣＳＩ）サブフレーム集合を設定する情報要素（Ｉｎｆｏｒｍａｔｉｏｎ  Ｅｌｅｍｅｎｔ）を受信し、少なくとも１つのＺＰ−ＣＳＩ−ＲＳ設定（Ｚｅｒｏ  Ｐｏｗｅｒ  ＣＳＩ−ＲＳ  ｃｏｎｆｉｇｕｒａｔｉｏｎ）を含むＣＳＩ−ＲＳ設定を受信するように構成され、前記ＣＳＩ−ＲＳ設定は、第１ＺＰ−ＣＳＩ−ＲＳ設定、及び前記情報要素が設定される時に適用される第２ＺＰ−ＣＳＩ−ＲＳ設定を含むことを特徴とする。
本明細書は、例えば、以下の項目も提供する。
（項目１）
無線通信システムにおいて基地局がチャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）設定を送信する方法であって、
第１チャネル状態情報（Ｃｈａｎｎｅｌ  Ｓｔａｔｅ  Ｉｎｆｏｒｍａｔｉｏｎ，ＣＳＩ）サブフレーム集合と第２チャネル状態情報（ＣＳＩ）サブフレーム集合を設定する情報要素（Ｉｎｆｏｒｍａｔｉｏｎ  Ｅｌｅｍｅｎｔ）を構成するステップと、
少なくとも１つのＺＰ−ＣＳＩ−ＲＳ設定（Ｚｅｒｏ  Ｐｏｗｅｒ  ＣＳＩ−ＲＳ  ｃｏｎｆｉｇｕｒａｔｉｏｎ）を含むＣＳＩ−ＲＳ設定を送信するステップと、
を有し、
前記ＣＳＩ−ＲＳ設定は、前記情報要素が設定されない第１端末と前記情報要素が設定される第２端末のための第１ＺＰ−ＣＳＩ−ＲＳ設定、及び前記第２端末だけのための第２ＺＰ−ＣＳＩ−ＲＳ設定を含む、ＣＳＩ−ＲＳ設定送信方法。
（項目２）
前記第１端末は、送信モード１乃至送信モード９ベースの端末であり、
前記第２端末は、前記情報要素によって前記第１ＣＳＩサブフレーム集合及び前記第２ＣＳＩサブフレーム集合に基づいてＣＳＩ測定を行う、送信モード１乃至送信モード９ベースの端末である、項目１に記載のＣＳＩ−ＲＳ設定送信方法。
（項目３）
前記第１ＺＰ−ＣＳＩ−ＲＳ設定及び前記第２ＺＰ−ＣＳＩ−ＲＳ設定のための、ｚｅｒｏＴｘＰｏｗｅｒＲｅｓｏｕｒｃｅＣｏｎｆｉｇＬｉｓｔパラメータ及びｚｅｒｏＴｘＰｏｗｅｒＳｕｂｆｒａｍｅＣｏｎｆｉｇパラメータは、互いに独立して定義されることを特徴とする、項目１に記載のＣＳＩ−ＲＳ設定送信方法。
（項目４）
前記第１ＣＳＩサブフレーム集合と前記第２ＣＳＩサブフレーム集合に基づくチャネル状態情報報告を受けるステップをさらに有する、項目１に記載のＣＳＩ−ＲＳ設定送信方法。
（項目５）
前記第１ＣＳＩサブフレーム集合と前記第２ＣＳＩサブフレーム集合は、制限されたチャネル状態情報測定サブフレーム集合（Ｒｅｓｔｒｉｃｔｅｄ  ＣＳＩ  ｍｅａｓｕｒｅｍｅｎｔ  ｓｕｂｆｒａｍｅ  ｓｅｔ）である、項目４に記載のＣＳＩ−ＲＳ設定送信方法。
（項目６）
無線通信システムにおいて端末がチャネル状態情報（Ｃｈａｎｎｅｌ  Ｓｔａｔｅ  Ｉｎｆｏｒｍａｔｉｏｎ，ＣＳＩ）を報告する方法であって、
第１チャネル状態情報（Ｃｈａｎｎｅｌ  Ｓｔａｔｅ  Ｉｎｆｏｒｍａｔｉｏｎ，ＣＳＩ）サブフレーム集合と第２チャネル状態情報（ＣＳＩ）サブフレーム集合を設定する情報要素（Ｉｎｆｏｒｍａｔｉｏｎ  Ｅｌｅｍｅｎｔ）を受信するステップと、
少なくとも１つのＺＰ−ＣＳＩ−ＲＳ設定（Ｚｅｒｏ  Ｐｏｗｅｒ  ＣＳＩ−ＲＳ  ｃｏｎｆｉｇｕｒａｔｉｏｎ）を含むＣＳＩ−ＲＳ設定を受信するステップと、
を有し、
前記ＣＳＩ−ＲＳ設定は、第１ＺＰ−ＣＳＩ−ＲＳ設定、及び前記情報要素が設定される時に適用される第２ＺＰ−ＣＳＩ−ＲＳ設定を含む、チャネル状態情報報告方法。
（項目７）
前記第１ＺＰ−ＣＳＩ−ＲＳ設定は、送信モード１乃至送信モード９ベースの端末のために定義され、
前記第２ＺＰ−ＣＳＩ−ＲＳ設定は、前記情報要素によって、前記第１ＣＳＩサブフレーム集合及び前記第２ＣＳＩサブフレーム集合に基づいてＣＳＩ測定を行う、送信モード１乃至送信モード９ベースの端末のために定義された、項目６に記載のチャネル状態情報報告方法。
（項目８）
前記第１ＺＰ−ＣＳＩ−ＲＳ設定及び前記第２ＺＰ−ＣＳＩ−ＲＳ設定のための、ｚｅｒｏＴｘＰｏｗｅｒＲｅｓｏｕｒｃｅＣｏｎｆｉｇＬｉｓｔパラメータ及びｚｅｒｏＴｘＰｏｗｅｒＳｕｂｆｒａｍｅＣｏｎｆｉｇパラメータは、互いに独立して定義されることを特徴とする、項目６に記載のチャネル状態情報報告方法。
（項目９）
前記情報要素が設定されたとき、前記第１ＣＳＩサブフレーム集合と前記第２ＣＳＩサブフレーム集合に基づくチャネル状態情報を報告するステップをさらに有する、項目６に記載のチャネル状態情報報告方法。
（項目１０）
前記第１ＣＳＩサブフレーム集合と前記第２ＣＳＩサブフレーム集合は、制限されたチャネル状態情報測定サブフレーム集合（Ｒｅｓｔｒｉｃｔｅｄ  ＣＳＩ  ｍｅａｓｕｒｅｍｅｎｔ  ｓｕｂｆｒａｍｅ  ｓｅｔ）である、項目６に記載のチャネル状態情報報告方法。
（項目１１）
無線通信システムにおいてチャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）設定を送信する基地局であって、
無線周波数ユニット（Ｒａｄｉｏ  ｆｒｅｑｕｅｎｃｙ  ｕｎｉｔ）と、
プロセッサ（ｐｒｏｃｅｓｓｏｒ）と、
を備え、
前記プロセッサは、第１チャネル状態情報（Ｃｈａｎｎｅｌ  Ｓｔａｔｅ  Ｉｎｆｏｒｍａｔｉｏｎ，ＣＳＩ）サブフレーム集合と第２チャネル状態情報（ＣＳＩ）サブフレーム集合を設定する情報要素（Ｉｎｆｏｒｍａｔｉｏｎ  Ｅｌｅｍｅｎｔ）を構成し、少なくとも１つのＺＰ−ＣＳＩ−ＲＳ設定（Ｚｅｒｏ  Ｐｏｗｅｒ  ＣＳＩ−ＲＳ  ｃｏｎｆｉｇｕｒａｔｉｏｎ）を含むＣＳＩ−ＲＳ設定を送信するように構成され、
前記ＣＳＩ−ＲＳ設定は、前記情報要素が設定されない第１端末と前記情報要素が設定される第２端末のための第１ＺＰ−ＣＳＩ−ＲＳ設定、及び前記第２端末だけのための第２ＺＰ−ＣＳＩ−ＲＳ設定を含む、基地局。
（項目１２）
無線通信システムにおいてチャネル状態情報（Ｃｈａｎｎｅｌ  Ｓｔａｔｅ  Ｉｎｆｏｒｍａｔｉｏｎ，ＣＳＩ）を報告する端末であって、
無線周波数ユニット（Ｒａｄｉｏ  ｆｒｅｑｕｅｎｃｙ  ｕｎｉｔ）と、
プロセッサ（ｐｒｏｃｅｓｓｏｒ）と、
を備え、
前記プロセッサは、第１チャネル状態情報（Ｃｈａｎｎｅｌ  Ｓｔａｔｅ  Ｉｎｆｏｒｍａｔｉｏｎ，ＣＳＩ）サブフレーム集合と第２チャネル状態情報（ＣＳＩ）サブフレーム集合を設定する情報要素（Ｉｎｆｏｒｍａｔｉｏｎ  Ｅｌｅｍｅｎｔ）を受信し、少なくとも１つのＺＰ−ＣＳＩ−ＲＳ設定（Ｚｅｒｏ  Ｐｏｗｅｒ  ＣＳＩ−ＲＳ  ｃｏｎｆｉｇｕｒａｔｉｏｎ）を含むＣＳＩ−ＲＳ設定を受信するように構成され、
前記ＣＳＩ−ＲＳ設定は、第１ＺＰ−ＣＳＩ−ＲＳ設定、及び前記情報要素が設定される時に適用される第２ＺＰ−ＣＳＩ−ＲＳ設定を含む、端末。
【発明の効果】
【００１７】
本発明によれば、無線通信システムにおいてシステム負荷に応じて無線リソースを動的に変更するとき、干渉測定リソース設定を効率的に行うことができる。
【００１８】
本発明で得られる効果は、以上で言及した効果に制限されず、言及していない他の効果は、以下の記載から、本発明の属する技術の分野における通常の知識を有する者には明確に理解されるであろう。
【図面の簡単な説明】
【００１９】
本発明に関する理解を助けるために詳細な説明の一部として含まれる添付の図面は、本発明に関する実施例を提供し、詳細な説明と共に本発明の技術的思想を説明する。
【図１】図１は、無線通信システムの一例としてＥ−ＵＭＴＳネットワーク構造を示す図である。
【図２】図２は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。
【図３】図３は、３ＧＰＰ  ＬＴＥシステムに用いられる物理チャネル及びそれらを用いた一般的な信号送信方法を示す図である。
【図４】図４は、ＬＴＥシステムで用いられる無線フレームの構造を示す図である。
【図５】図５は、下りリンクスロットのリソースグリッド（ｒｅｓｏｕｒｃｅ  ｇｒｉｄ）を示す図である。
【図６】図６は、下りリンクサブフレームの構造を例示する図である。
【図７】図７は、ＬＴＥで用いられる上りリンクサブフレームの構造を示す図である。
【図８】図８は、ＣｏＭＰを行う一例を示す図である。
【図９】図９は、ＴＤＤシステム環境下で既存上りリンクリソースの一部を下りリンク通信目的に変更して用いる場合を示す図である。
【図１０】図１０は、ＴＤＤシステム環境下でそれぞれのセルが自身のシステム負荷状態に応じて既存無線リソースの用途を動的に変更する場合、外部から受信される干渉特性がサブフレーム（或いはサブフレーム集合）別に異なる場合を示す図である。
【図１１】図１１は、本発明の実施例に適用可能な基地局及びユーザ機器を例示する図である。
【発明を実施するための形態】
【００２０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進化したバージョンである。
【００２１】
説明を明確にするために、３ＧＰＰ  ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００２２】
図２は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。コントロールプレーンは、端末（Ｕｓｅｒ  Ｅｑｕｉｐｍｅｎｔ；ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００２３】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間は、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２４】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために不要の制御情報を減らすヘッダー圧縮（Ｈｅａｄｅｒ  Ｃｏｍｐｒｅｓｓｉｏｎ）機能を果たす。
【００２５】
第３層の最下部に位置している無線リソース制御（Ｒａｄｉｏ  Ｒｅｓｏｕｒｃｅ  Ｃｏｎｔｒｏｌ；ＲＲＣ）層は、コントロールプレーンでのみ定義される。ＲＲＣ層は、無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２６】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００２７】
ネットワークから端末にデータを送信する下り伝送チャネルは、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２８】
図３は、３ＧＰＰ  ＬＴＥシステムに用いられる物理チャネル及びそれらを用いた一般的な信号送信方法を説明するための図である。
【００２９】
電源が消えた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００３０】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００３１】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００３２】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ  ＡＣＫ／ＮＡＣＫは簡単に、ＨＡＲＱ−ＡＣＫ或いはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要請／指示に応じて、ＰＵＳＣＨを介してＵＣＩを非周期的に送信することもできる。
【００３３】
図４は、ＬＴＥシステムで用いられる無線フレームの構造を例示する図である。
【００３４】
図４を参照すると、セルラーＯＦＤＭ無線パケット通信システムにおいて、上りリンク／下りリンクデータパケット送信はサブフレーム（ｓｕｂｆｒａｍｅ）単位になされ、１サブフレームは、複数のＯＦＤＭシンボルを含む一定時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００３５】
図４の（ａ）は、タイプ１無線フレームの構造を例示する。下りリンク無線フレーム（ｒａｄｉｏ  ｆｒａｍｅ）は、１０個のサブフレーム（ｓｕｂｆｒａｍｅ）で構成され、１サブフレームは、時間領域（ｔｉｍｅ  ｄｏｍａｉｎ）で２個のスロット（ｓｌｏｔ）で構成される。１サブフレーム）を送信するためにかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓ、１スロットの長さを０．５ｍｓとすることができる。１スロットは時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ  ＬＴＥシステムでは下りリンクでＯＦＤＭＡが用いられるため、ＯＦＤＭシンボルが１シンボル区間を表す。ＯＦＤＭシンボルは、ＳＣ−ＦＤＭＡシンボル又はシンボル区間と呼ぶこともできる。リソース割当て単位としてのリソースブロック（ＲＢ）は、１スロットで複数個の連続した副搬送波（ｓｕｂｃａｒｒｉｅｒ）を含むことができる。
【００３６】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって可変することができる。ＣＰには、拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってよい。ＯＦＤＭシンボルが拡張されたＣＰによって構成された場合、１  ＯＦＤＭシンボルの長さが増加することから、１スロットに含まれるＯＦＤＭシンボルの数は、標準ＣＰの場合に比べて少ない。拡張されたＣＰの場合、例えば、１スロットに含まれるＯＦＤＭシンボルの数は６個であってもよい。ユーザ機器が速い速度で移動するなどしてチャネル状態が不安定な場合、シンボル間干渉をより減らすために、拡張されたＣＰを用いることができる。
【００３７】
標準ＣＰが用いられる場合、１スロットは７  ＯＦＤＭシンボルを含むため、１サブフレームは１４  ＯＦＤＭシンボルを含む。このとき、各サブフレームの先頭における最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３８】
図４の（ｂ）は、タイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００３９】
特別サブフレームにおいて、ＤｗＰＴＳは、ユーザ機器における初期セル探索、同期化又はチャネル推定に用いられる。ＵｐＰＴＳは、基地局におけるチャネル推定とユーザ機器の上りリンク送信同期の獲得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳ送信のために用いられる。また、保護区間は、上りリンクと下りリンクの間に下りリンク信号の多重経路遅延によって上りリンクで生じる干渉を除去するための区間である。
【００４０】
上記の特別サブフレームに関して現在３ＧＰＰ標準文書では下記の表１のように設定を定義している。表１で、
【００４１】
【化１】
0006309649.tif 000002
【００４２】
の場合に、ＤｗＰＴＳとＵｐＰＴＳを示しており、残りの領域が保護区間として設定される。
【００４３】
【表１】
0006309649.tif 000003
【００４４】
一方、タイプ２無線フレームの構造、すなわち、ＴＤＤシステムにおいて上りリンク／下りリンクサブフレーム設定（ＵＬ／ＤＬ  ｃｏｎｆｉｇｕｒａｔｉｏｎ）は、下記の表２のとおりである。
【００４５】
【表２】
0006309649.tif 000004
【００４６】
上記の表２で、Ｄは下りリンクサブフレーム、Ｕは上りリンクサブフレームを表し、Ｓは特別サブフレームを意味する。また、上記の表２では、それぞれの上りリンク／下りリンクサブフレーム設定において下りリンク−上りリンクスイッチング周期も表している。
【００４７】
上述した無線フレームの構造は例示に過ぎず、無線フレームに含まれるサブフレームの数、サブフレームに含まれるスロットの数、又はスロットに含まれるシンボルの数は様々に変更されてもよい。
【００４８】
図５は、下りリンクスロットのリソースグリッド（ｒｅｓｏｕｒｃｅ  ｇｒｉｄ）を例示する。
【００４９】
図５を参照すると、下りリンクスロットは、時間領域で
【００５０】
【化２】
0006309649.tif 000005
【００５１】
ＯＦＤＭシンボルを含み、周波数領域で
【００５２】
【化３】
0006309649.tif 000006
【００５３】
リソースブロックを含む。それぞれのリソースブロックが
【００５４】
【化４】
0006309649.tif 000007
【００５５】
副搬送波を含むので、下りリンクスロットは、周波数領域で
【００５６】
【化５】
0006309649.tif 000008
【００５７】
副搬送波を含む。図５は、下りリンクスロットが７  ＯＦＤＭシンボルを含み、リソースブロックが１２副搬送波を含むと例示しているが、必ずしもこれに制限されない。例えば、下りリンクスロットに含まれるＯＦＤＭシンボルの個数はサイクリックプレフィックス（Ｃｙｃｌｉｃ  Ｐｒｅｆｉｘ；ＣＰ）の長さによって変形されてもよい。
【００５８】
リソースグリッド上の各要素をリソース要素（Ｒｅｓｏｕｒｃｅ  Ｅｌｅｍｅｎｔ；ＲＥ）といい、１つのリソース要素は、１つのＯＦＤＭシンボルインデックス及び１つの副搬送波インデックスで示される。１つのＲＢは、
【００５９】
【化６】
0006309649.tif 000009
【００６０】
リソース要素で構成されている。下りリンクスロットに含まれるリソースブロックの数
【００６１】
【化７】
0006309649.tif 000010
【００６２】
は、セルで設定される下りリンク送信帯域幅（ｂａｎｄｗｉｄｔｈ）に従属する。
【００６３】
図６は、下りリンクサブフレームの構造を例示する。
【００６４】
図６を参照すると、サブフレームの第１スロットにおいて先頭における最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで用いられる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレーム内で制御チャネルの送信に用いられるＯＦＤＭシンボルの個数に関する情報を運ぶ。ＰＨＩＣＨは、上りリンク送信に対する応答としてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００６５】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と称する。ＤＣＩは、ユーザ機器又はユーザ機器グループのためのリソース割当て情報及び他の制御情報を含む。例えば、ＤＣＩは、上りリンク／下りリンクスケジューリング情報、上りリンク送信（Ｔｘ）電力制御命令などを含む。
【００６６】
ＰＤＣＣＨは、下りリンク共有チャネル（ｄｏｗｎｌｉｎｋ  ｓｈａｒｅｄ  ｃｈａｎｎｅｌ、ＤＬ−ＳＣＨ）の送信フォーマット及びリソース割当て情報、上りリンク共有チャネル（ｕｐｌｉｎｋ  ｓｈａｒｅｄ  ｃｈａｎｎｅｌ、ＵＬ−ＳＣＨ）の送信フォーマット及びリソース割当て情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層制御メッセージのリソース割当て情報、ユーザ機器グループ内の個別ユーザ機器に対する送信電力制御命令セット、送信電力制御命令、ＶｏＩＰ（Ｖｏｉｃｅ  ｏｖｅｒ  ＩＰ）の活性化指示情報などを運ぶ。複数のＰＤＣＣＨが制御領域内で送信されてもよく、ユーザ機器は、複数のＰＤＣＣＨをモニタすることができる。ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数はＣＣＥの個数によって決定される。基地局は、ユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスクする。例えば、ＰＤＣＣＨが特定ユーザ機器のためのものであれば、該当のユーザ機器の識別子（例、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＢ））のためのものであれば、ＳＩ−ＲＮＴＩ（ｓｙｓｔｅｍ  Ｉｎｆｏｒｍａｔｉｏｎ  ＲＮＴＩ）をＣＲＣにマスクすることができる。ＰＤＣＣＨがランダムアクセス応答のためのものであれば、ＲＡ−ＲＮＴＩ（ｒａｎｄｏｍ  ａｃｃｅｓｓ−ＲＮＴＩ）をＣＲＣにマスクすることができる。
【００６７】
図７は、ＬＴＥで用いられる上りリンクサブフレームの構造を例示する。
【００６８】
図７を参照すると、上りリンクサブフレームは、複数（例、２個）のスロットを含む。スロットは、ＣＰ長によって異なる数のＳＣ−ＦＤＭＡシンボルを含むことができる。上りリンクサブフレームは、周波数領域でデータ領域と制御領域とに区別される。データ領域は、ＰＵＳＣＨを含み、音声などのデータ信号を送信するために用いられる。制御領域は、ＰＵＣＣＨを含み、上りリンク制御情報（Ｕｐｌｉｎｋ  Ｃｏｎｔｒｏｌ  Ｉｎｆｏｒｍａｔｉｏｎ；ＵＣＩ）を送信するために用いられる。ＰＵＣＣＨは、周波数軸においてデータ領域の両端部に位置したＲＢ対（ＲＢ  ｐａｉｒ）を含み、スロットを境界にホップする。
【００６９】
ＰＵＣＣＨは、次の制御情報を送信するために用いることができる。
【００７０】
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式で送信される。
【００７１】
−  ＨＡＲＱ  ＡＣＫ／ＮＡＣＫ：ＰＤＳＣＨ上の下りリンクデータパケットに対する応答信号である。下りリンクデータパケットが成功的に受信されたか否かを示す。単一の下りリンクコードワードに対する応答として１ビットのＡＣＫ／ＮＡＣＫが送信され、２つの下りリンクコードワードに対する応答として２ビットのＡＣＫ／ＮＡＣＫが送信される。
【００７２】
−  ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩは、ＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。サブフレーム当たり２０ビットが使用される。
【００７３】
ユーザ機器がサブフレームで送信可能な制御情報（ＵＣＩ）の量は、制御情報の送信に可用なＳＣ−ＦＤＭＡの個数に依存する。制御情報の送信に可用なＳＣ−ＦＤＭＡは、サブフレームにおいて参照信号の送信のためのＳＣ−ＦＤＭＡシンボル以外のＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームではサブフレームの最後のＳＣ−ＦＤＭＡシンボルも除外される。参照信号は、ＰＵＣＣＨのコヒーレント検出に用いられる。
【００７４】
以下では、ＣｏＭＰ（Ｃｏｏｐｅｒａｔｉｖｅ  Ｍｕｌｔｉｐｏｉｎｔ  Ｔｒａｎｓｍｉｓｓｉｏｎ／Ｒｅｃｅｐｔｉｏｎ）について説明する。
【００７５】
ＬＴＥ−Ａ以降のシステムは、複数のセル間の協調を可能にしてシステムの性能を上げる方式を導入しようとしている。このような方式を、協調多重ポイント送信／受信（Ｃｏｏｐｅｒａｔｉｖｅ  Ｍｕｌｔｉｐｏｉｎｔ  Ｔｒａｎｓｍｉｓｓｉｏｎ／Ｒｅｃｅｐｔｉｏｎ：ＣｏＭＰ）という。ＣｏＭＰは、特定端末と基地局、アクセス（Ａｃｃｅｓｓ）ポイント或いはセル（Ｃｅｌｌ）との通信をより円滑にするために、２個以上の基地局、アクセスポイント或いはセルが互いに協調して端末と通信する方式を意味する。本発明で、基地局、アクセス、或いはセルは同じ意味で使われてもよい。
【００７６】
一般に、周波数再使用因子（ｆｒｅｑｕｅｎｃｙ  ｒｅｕｓｅ  ｆａｃｔｏｒ）が１である多重セル環境で、セル−間干渉（Ｉｎｔｅｒ−Ｃｅｌｌ  Ｉｎｔｅｒｆｅｒｅｎｃｅ；ＩＣＩ）によって、セル−境界に位置している端末の性能と平均セクター収率が減少する。このようなＩＣＩを低減するために、既存のＬＴＥシステムでは、端末特定電力制御を用いた部分周波数再使用（ｆｒａｃｔｉｏｎａｌ  ｆｒｅｑｕｅｎｃｙ  ｒｅｕｓｅ；ＦＦＲ）のような単純な受動的な技法を用いて、干渉によって制限を受けた環境でセル−境界に位置している端末に適切な収率性能を有させる方法が適用されている。しかしながら、セル当たり周波数リソース使用を減少するよりは、ＩＣＩを低減したり、ＩＣＩを端末の希望する信号として再利用したりする方が好ましいだろう。このような目的を達成するために、ＣｏＭＰ送信技法を適用することができる。
【００７７】
図８は、ＣｏＭＰを行う一例を示す。図８を参照すると、無線通信システムは、ＣｏＭＰを行う複数の基地局ＢＳ１，ＢＳ２，ＢＳ３と端末とを含む。ＣｏＭＰを行う複数の基地局ＢＳ１，ＢＳ２，ＢＳ３は互いに協調して端末にデータを效率的に送信することができる。ＣｏＭＰは、ＣｏＭＰを行う各基地局からデータ送信をするか否かによって、次の２つの技法に大別することができる：
−  ジョイントプロセシング（Ｊｏｉｎｔ  Ｐｒｏｃｅｓｓｉｎｇ）（ＣｏＭＰ  Ｊｏｉｎｔ  Ｐｒｏｃｅｓｓｉｎｇ：ＣｏＭＰ−ＪＰ）
−  協調的スケジューリング／ビームフォーミング（ＣｏＭＰ−ＣＳ／ＣＢ、ＣｏＭＰ  Ｃｏｏｐｅｒａｔｉｖｅ  ｓｃｈｅｄｕｌｉｎｇ：ＣｏＭＰ−ＣＳ）
ＣｏＭＰ−ＪＰの場合、一つの端末へのデータが、ＣｏＭＰを行う各基地局から同時に送信され、端末は、各基地局からの信号を結合して受信性能を向上させる。すなわち、ＣｏＭＰ−ＪＰ技法は、ＣｏＭＰ協調単位のそれぞれのポイント（基地局）でデータを用いることができる。ＣｏＭＰ協調単位は、協調送信技法に用いられる基地局の集合を意味する。ＪＰ技法は、ジョイント送信（Ｊｏｉｎｔ  Ｔｒａｎｓｍｉｓｓｉｏｎ）技法と動的セル選択（Ｄｙｎａｍｉｃ  ｃｅｌｌ  ｓｅｌｅｃｔｉｏｎ）技法とに分類することができる。
【００７８】
ジョイント送信技法とは、ＰＤＳＣＨが一度に複数個のポイント（ＣｏＭＰ協調単位の一部又は全部）から送信される技法をいう。すなわち、単一の端末に送信されるデータを複数個の送信ポイントから同時に送信することができる。ジョイント送信技法によれば、コヒーレントに（ｃｏｈｅｒｅｎｔｌｙ）又はノンーコヒーレントに（ｎｏｎ−ｃｏｈｅｒｅｎｔｌｙ）受信信号の品質を向上させることができ、また、他の端末に対する干渉を能動的に消去することができる。
【００７９】
動的セル選択技法とは、ＰＤＳＣＨが一度に（ＣｏＭＰ協調単位の）一つのポイントから送信される技法をいう。すなわち、特定時点で単一の端末に送信されるデータは、一つのポイントから送信され、その時点に、協調単位における他のポイントは当該端末にデータを送信しない。当該端末にデータを送信するポイントは、動的に選択することができる。
【００８０】
一方、ＣｏＭＰ−ＣＳの場合、一つの端末へのデータは、任意の瞬間に一つの基地局から送信され、他の基地局による干渉が最小化するようにスケジューリング或いはビームフォーミング（Ｂｅａｍｆｏｒｍｉｎｇ）がなされる。すなわち、ＣｏＭＰ−ＣＳ／ＣＢ技法によれば、ＣｏＭＰ協調単位が単一端末に対するデータ送信のビームフォーミングを協調的に行うことができる。ここで、データはサービングセルでのみ送信されるが、ユーザスケジューリング／ビームフォーミングは、当該ＣｏＭＰ協調単位のセルの調整によって決定することができる。
【００８１】
一方、上りリンクにおいて、調整（ｃｏｏｒｄｉｎａｔｅｄ）多重−ポイント受信は、地理的に離れている複数個のポイントの調整によって送信された信号を受信することを意味する。上りリンクの場合に適用可能なＣｏＭＰ技法は、ジョイント受信（Ｊｏｉｎｔ  Ｒｅｃｅｐｔｉｏｎ；ＪＲ）及び調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）とに分類することができる。
【００８２】
ＪＲ技法は、ＰＵＳＣＨを介して送信された信号が複数個の受信ポイントで受信されることを意味し、ＣＳ／ＣＢ技法は、ＰＵＳＣＨが一つのポイントでのみ受信されるが、ユーザスケジューリング／ビームフォーミングはＣｏＭＰ協調単位のセルの調整によって決定されることを意味する。
【００８３】
以下では、複数のセル間の干渉について説明する。
【００８４】
２つの基地局（例えば、基地局＃１及び基地局＃２）が隣接して配置される場合のように、２つの基地局のカバレッジの一部が重なる場合、一つの基地局からサービスを受ける端末に対して、他の基地局からの強い下りリンク信号が干渉を誘発しうる。このようにセル間干渉が発生する場合に、２つの基地局間にセル間協調信号方式を用いてセル間干渉を低減させることができる。以下に説明する本発明の様々な実施例において、互いに干渉する２つの基地局間に信号送受信が円滑である場合を仮定する。例えば、２つの基地局間に送信帯域幅や時間遅延などの送信条件が良好な有／無線リンク（例えば、バックホールリンク又はＵｎインターフェース）が存在し、基地局間における協調信号の送受信に対する信頼性が高い場合を仮定する。また、２つの基地局間の時間同期（ｔｉｍｅ  ｓｙｎｃｈｒｏｎｉｚａｔｉｏｎ）が許容可能な誤差範囲内で一致したり（例えば、互いに干渉する２つの基地局の下りリンクサブフレームの境界が整列（ａｌｉｇｎ）されている場合）、両基地局間のサブフレーム境界の差（ｏｆｆｓｅｔ）を相互明確に認識している場合を仮定することができる。
【００８５】
図８を再び参照すると、基地局＃１（ＢＳ＃１）は、広い領域を高い送信電力でサービスするマクロ基地局とし、基地局＃２（ＢＳ＃２）は、狭い領域を低い送信電力でサービスするマイクロ基地局（例えば、ピコ基地局）としている。図８で例示するように、基地局＃２のセル境界地域に位置して基地局＃２からサービスを受ける端末（ＵＥ）が基地局＃１から強い干渉を受ける場合、適切なセル間協調無しでは効果的に通信し難い。
【００８６】
特に、低い電力を有するマイクロ基地局である基地局＃２に多数の端末を接続させることで、マクロ基地局である基地局＃１がサービスを提供する負荷（ｌｏａｄ）を分散させようとする場合に、上記のようなセル間干渉の状況が発生する可能性が高い。例えば、端末がサービング基地局を選定するとき、マイクロ基地局からの受信電力には所定の調整値（バイアス（ｂｉａｓ）値）を加え、マクロ基地局からの受信電力には調整値を加えない方式で、それぞれの基地局からの下りリンク信号の受信電力を計算及び比較することができ、その結果、端末は、最も高い下りリンク受信電力を提供する基地局をサービング基地局として選定することができる。これによって、より多数の端末をマイクロ基地局に接続させることができる。端末が実際に受信する下りリンク信号強度は、マクロ基地局からの信号がより遥かに強いにもかかわらず、マイクロ基地局がサービング基地局として選ばれてもよく、マイクロ基地局に接続した端末はマクロ基地局からの強い干渉を経験しうる。このような場合、マイクロ基地局の境界に位置している端末は、別のセル間協調が提供されないと、マクロ基地局からの強い干渉によって正しい動作を行い難くなる。
【００８７】
セル間干渉が存在する場合にも効果的な動作を行うために、セル間干渉が互いに発生する２つの基地局間に適切な協調が行わなければならず、このような協調動作を可能にする信号を両基地局間のリンクを介して送受信することができる。この場合、セル間干渉がマクロ基地局とマイクロ基地局間に発生する場合には、マクロ基地局がセル間協調動作を制御し、マイクロ基地局は、マクロ基地局が知らせる協調信号によって適切な動作を行うこともできる。
【００８８】
上記のようなセル間干渉発生状況は単なる例示に過ぎず、本発明で説明する実施例は、上記と異なる状況でセル間干渉が発生する場合（例えば、ＣＳＧ方式のＨｅＮＢとＯＳＧ方式のマクロ基地局間にセル間干渉が発生する場合、マイクロ基地局が干渉を誘発してマクロ基地局が干渉を受ける場合、又はマイクロ基地局間に又はマクロ基地局間にセル間干渉が存在する場合など）にも同一に適用することができる。
【００８９】
図９は、ＴＤＤシステム環境下で、特定セルが、システムの下りリンク負荷量が増加することから、既存の上りリンクリソース（すなわち、ＵＬ  ＳＦ）の一部を下りリンク通信用途へと変更して用いる場合を示している。図９では、ＳＩＢによって設定された上りリンク−下りリンク設定（ＵＬ／ＤＬ  Ｃｏｎｆｉｇｕｒａｔｉｏｎ）が上りリンク−下りリンク＃１（すなわち、ＤＳＵＵＤＤＳＵＵＤ）であると仮定しており、事前に定義されたシグナル（例えば、物理／上位層シグナル或いはシステム情報シグナル）によって既存のＵＬ  ＳＦ  ＃（ｎ＋３）、ＵＬ  ＳＦ  ＃（ｎ＋８）が下りリンク通信の用途に変更されて用いられることがわかる。
【００９０】
以下では、前述した内容に基づいて、本発明で提案する無線リソースの用途をシステムの負荷状態に応じて動的に変更する場合に、干渉測定リソース（すなわち、ＣＳＩ−ＩＭ  Ｒｅｓｏｕｒｃｅ）及び／又はＺｅｒｏ−Ｐｏｗｅｒ  ＣＳＩ−ＲＳリソース（すなわち、ＺＰ  ＣＳＩ−ＲＳ  Ｒｅｓｏｕｒｃｅ）などを効率的に設定する方法を説明する。
【００９１】
以下では、説明の便宜のために、３ＧＰＰ  ＬＴＥシステムに基づいて本発明を説明する。しかし、本発明が適用されるシステムの範囲は、３ＧＰＰ  ＬＴＥシステム以外のシステムにも拡張可能である。
【００９２】
また、本発明の実施例は、搬送波集成技法（Ｃａｒｒｉｅｒ  Ａｇｇｒｅｇａｔｉｏｎ；ＣＡ）が適用された環境下で、少なくとも１つのセル（Ｃｅｌｌ）（或いは、コンポーネントキャリア（Ｃｏｍｐｏｎｅｎｔ  Ｃａｒｒｉｅｒ；ＣＣ））上のリソースをシステムの負荷状態に応じて動的に変更する場合にも拡張して適用可能である。また、本発明の実施例は、ＴＤＤシステム或いはＦＤＤシステム下で無線リソースの用途を動的に変更する場合にも拡張して適用可能である。
【００９３】
なお、本発明では、無線リソース用途の動的変更によって、既存下りリンク無線リソースが代表的に２タイプのリソースに区分されてもよい。一例として（半）静的な（或いは、固定した）用途に用いられるリソース集合（すなわち、（半）静的リソース（（Ｓｅｍｉ−）ｓｔａｔｉｃ  Ｒｅｓｏｕｒｃｅ））と、用途が動的に変更されるリソース集合（すなわち、流動リソース（Ｆｌｅｘｉｂｌｅ  Ｒｅｓｏｕｒｃｅ））とに区分できる。
【００９４】
例えば、ＳＩＢ１  ＵＬ−ＤＬ  Ｃｏｎｆｉｇｕｒａｔｉｏｎ上のＤｏｗｎｌｉｎｋ  Ｓｕｂｆｒａｍｅ（ｓ）（以下、ＤＬ  ＳＦ（ｓ））及び／又はＳｐｅｃｉａｌ  ＳＦ（ｓ）（以下、Ｓ  ＳＦ（ｓ））のうち、ＲＲＣ−Ｃｏｎｆｉｇｕｒｅｄ  ＤＬ  Ｒｅｆｅｒｅｎｃｅ  Ｃｏｎｆｉｇｕｒａｔｉｏｎ上でもＤＬ  ＳＦ（ｓ）及び／又はＳ  ＳＦ（ｓ）として用いられるサブフレームを（半）静的下りリンクリソース集合（（Ｓｅｍｉ−）ｓｔａｔｉｃ  ＤＬ  Ｒｅｓｏｕｒｃｅ  Ｓｅｔ）と定義でき、ＳＩＢ１  ＵＬ−ＤＬ  Ｃｏｎｆｉｇｕｒａｔｉｏｎ上のＵＬ  ＳＦ（ｓ）及び／又はＳ  ＳＦ（ｓ）のうち、ＲＲＣ−Ｃｏｎｆｉｇｕｒｅｄ  ＤＬ  Ｒｅｆｅｒｅｎｃｅ  Ｃｏｎｆｉｇｕｒａｔｉｏｎ上でＤＬ  ＳＦ（ｓ）として用いられるサブフレームを流動下りリンクリソース集合（Ｆｌｅｘｉｂｌｅ  ＤＬ  Ｒｅｓｏｕｒｃｅ  Ｓｅｔ）と定義することができる。他の例として、ＳＩＢ１  ＵＬ−ＤＬ  Ｃｏｎｆｉｇｕｒａｔｉｏｎ上のＤＬ  ＳＦ（ｓ）及び／又はＳ  ＳＦ（ｓ）を（半）静的下りリンクリソース集合（（Ｓｅｍｉ−）ｓｔａｔｉｃ  ＤＬ  Ｒｅｓｏｕｒｃｅ  Ｓｅｔ）と定義でき、ＳＩＢ１  ＵＬ−ＤＬ  Ｃｏｎｆｉｇｕｒａｔｉｏｎ上のＵＬ  ＳＦ（ｓ）及び／又はＳ  ＳＦ（ｓ）のうち、ＲＲＣ−Ｃｏｎｆｉｇｕｒｅｄ  ＤＬ  Ｒｅｆｅｒｅｎｃｅ  Ｃｏｎｆｉｇｕｒａｔｉｏｎ上でＤＬ  ＳＦ（ｓ）として用いられるＳＦを流動下りリンクリソース集合（Ｆｌｅｘｉｂｌｅ  ＤＬ  Ｒｅｓｏｕｒｃｅ  Ｓｅｔ）と定義することもできる。なお、上述した例で、ＳＩＢ１  ＵＬ−ＤＬ  ＣｏｎｆｉｇｕｒａｔｉｏｎはＵＬ  Ｒｅｆｅｒｅｎｃｅ  Ｃｏｎｆｉｇｕｒａｔｉｏｎと解釈されてもよい。
【００９５】
なお、異なる隣接セルが無線リソース用途の動的変更を行う場合に、特定セルの観点で下りリンク用途に用いるリソースであっても、外部から入る干渉特性がリソース別に異なりうる。図１０は、ＴＤＤシステム環境下でそれぞれのセルが自身のシステム負荷状態に応じて既存無線リソースの用途を動的に変更する場合、特定セルの観点で下りリンク用途に用いるリソース（例、ＤＬ  ＳＦ或いはＳ  ＳＦ上のＤｗＰＴＳ）であっても、外部から受信される干渉特性がサブフレーム集合別に異なる場合に関する実施例を示す。
【００９６】
図１０では、２つのセル（すなわち、Ｃｅｌｌ  ＃Ａ、Ｃｅｌｌ  ＃Ｂ）がネットワーク上に存在する状況を仮定し、また、両セルのＳＩＢ１  ＵＬ−ＤＬ  ＣｏｎｆｉｇｕｒａｔｉｏｎはいずれもＵＬ−ＤＬ  Ｃｏｎｆｉｇｕｒａｔｉｏｎ  ＃０（すなわち、ＤＳＵＵＵＤＳＵＵＵ）に設定されたと仮定し、また、Ｃｅｌｌ  ＃ＡのＲＲＣ−Ｃｏｎｆｉｇｕｒｅｄ  ＤＬ  Ｒｅｆｅｒｅｎｃｅ  ＣｏｎｆｉｇｕｒａｔｉｏｎはＵＬ−ＤＬ  Ｃｏｎｆｉｇｕｒａｔｉｏｎ  ＃２（すなわち、ＤＳＵＤＤＤＳＵＤＤ）、Ｃｅｌｌ  ＃ＢのＲＲＣ−Ｃｏｎｆｉｇｕｒｅｄ  ＤＬ  Ｒｅｆｅｒｅｎｃｅ  ＣｏｎｆｉｇｕｒａｔｉｏｎはＵＬ−ＤＬ  Ｃｏｎｆｉｇｕｒａｔｉｏｎ  ＃５（すなわち、ＤＳＵＤＤＤＤＤＤＤ）に設定されたと仮定した。また、両セルの無線リソース用途の動的変更周期（Ｒｅｃｏｎｆｉｇｕｒａｔｉｏｎ  Ｐｅｒｉｏｄ）はいずれも１０ｍｓに設定されたと仮定した。なお、一番目の無線フレーム（すなわち、ＳＦ＃ＮからＳＦ＃（Ｎ＋９）までの区間）ではＣｅｌｌ  ＃ＡとＣｅｌｌ  ＃ＢのＡｃｔｕａｌ  ＵＬ−ＤＬ  Ｃｏｎｆｉｇｕｒａｔｉｏｎが、それぞれＵＬ−ＤＬ  Ｃｏｎｆｉｇｕｒａｔｉｏｎ  ＃１（すなわち、ＤＳＵＵＤＤＳＵＵＤ）、ＵＬ−ＤＬ  Ｃｏｎｆｉｇｕｒａｔｉｏｎ  ＃４（すなわち、ＤＳＵＵＤＤＤＤＤＤ）に設定されたと仮定し、２番目の無線フレーム（すなわち、ＳＦ＃（Ｎ＋１０）からＳＦ＃（Ｎ＋１９）までの区間）ではＣｅｌｌ  ＃ＡとＣｅｌｌ  ＃ＢのＡｃｔｕａｌ  ＵＬ−ＤＬ  ＣｏｎｆｉｇｕｒａｔｉｏｎがそれぞれＵＬ−ＤＬ  Ｃｏｎｆｉｇｕｒａｔｉｏｎ  ＃０（すなわち、ＤＳＵＵＵＤＳＵＵＵ）、ＵＬ−ＤＬ  Ｃｏｎｆｉｇｕｒａｔｉｏｎ  ＃５（すなわち、ＤＳＵＤＤＤＤＤＤＤ）に設定されたと仮定した。
【００９７】
図１０を参照すると、Ｃｅｌｌ  ＃Ａの観点で、下りリンク用途に用いるサブフレーム上に受信される干渉の種類は、ｉ）Ｃｅｌｌ  ＃Ｂの下りリンク通信から入る干渉（すなわち、ＳＦ＃Ｎ、ＳＦ＃（Ｎ＋１）、ＳＦ＃（Ｎ＋４）、ＳＦ＃（Ｎ＋５）、ＳＦ＃（Ｎ＋６）、ＳＦ＃（Ｎ＋９）、ＳＦ＃（Ｎ＋１０）、ＳＦ＃（Ｎ＋１１）、ＳＦ＃（Ｎ＋１５）、ＳＦ＃（Ｎ＋１６）の位置で受信される干渉を意味する）と、ｉｉ）Ｃｅｌｌ  ＃Ｂの上りリンク通信から入る干渉（すなわち、ＳＦ＃（Ｎ＋７）、ＳＦ＃（Ｎ＋８）、ＳＦ＃（Ｎ＋１３）、ＳＦ＃（Ｎ＋１４）、ＳＦ＃（Ｎ＋１７）、ＳＦ＃（Ｎ＋１８）、ＳＦ＃（Ｎ＋１９）の位置で受信される干渉を意味する）とに分類できる。
【００９８】
したがって、図１０に示すように、干渉特性の異なるサブフレーム集合別に、チャネル状態情報（ＣＳＩ）及び／又は干渉推定（Ｉｎｔｅｒｆｅｒｅｎｃｅ  Ｍｅａｓｕｒｅｍｅｎｔ）情報を独立して導出するために、Ｒｅｓｔｒｉｃｔｅｄ  ＣＳＩ  Ｍｅａｓｕｒｅｍｅｎｔ  ＳＦ  Ｓｅｔ（ｓ）とＣＳＩ−ＩＭ  Ｒｅｓｏｕｒｃｅ  Ｃｏｎｆｉｇｕｒａｔｉｏｎ（ｓ）が効率的に設定される必要がある。
【００９９】
例えば、図１０で、Ｒｅｓｔｒｉｃｔｅｄ  ＣＳＩ  Ｍｅａｓｕｒｅｍｅｎｔ  ＳＦ  Ｓｅｔ  ＃０（以下、“ＣＣＳＩ，０”）は、Ｃｅｌｌ  ＃Ｂから入る（半）静的な下りリンク干渉を考慮して、ＳＦ＃Ｎ、ＳＦ＃（Ｎ＋１）、ＳＦ＃（Ｎ＋５）、ＳＦ＃（Ｎ＋６）、ＳＦ＃（Ｎ＋１０）、ＳＦ＃（Ｎ＋１１）、ＳＦ＃（Ｎ＋１５）及びＳＦ＃（Ｎ＋１６）を含むように設定することができ、Ｒｅｓｔｒｉｃｔｅｄ  ＣＳＩ  Ｍｅａｓｕｒｅｍｅｎｔ  ＳＦ  Ｓｅｔ  ＃１（以下、“ＣＣＳＩ，１”）は、Ｃｅｌｌ  ＃Ｂから入る流動的な干渉（すなわち、干渉特性が時間が経つにつれて変更される）を考慮して、ＳＦ＃（Ｎ＋４）、ＳＦ＃（Ｎ＋７）、ＳＦ＃（Ｎ＋８）、ＳＦ＃（Ｎ＋９）、ＳＦ＃（Ｎ＋１３）、ＳＦ＃（Ｎ＋１４）、ＳＦ＃（Ｎ＋１７）、ＳＦ＃（Ｎ＋１８）及びＳＦ＃（Ｎ＋１９）を含むように設定することができる。
【０１００】
しかしながら、端末（すなわち、ＴＭ１０  ＵＥ）に設定可能な既存ＣＳＩ−ＩＭ  Ｒｅｓｏｕｒｃｅ  Ｃｏｎｆｉｇｕｒａｔｉｏｎ（ｓ）は、表３及び表４に示すように、“Ａ  ＵＥ  ｉｓ  ｎｏｔ  ｅｘｐｅｃｔｅｄ  ｔｏ  ｒｅｃｅｉｖｅ  ＣＳＩ−ＩＭ  ｒｅｓｏｕｒｃｅ  ｃｏｎｆｉｇｕｒａｔｉｏｎ（ｓ）ｔｈａｔ  ａｒｅ  ｎｏｔ  ａｌｌ  ｃｏｍｐｌｅｔｅｌｙ  ｏｖｅｒｌａｐｐｉｎｇ  ｗｉｔｈ  ｏｎｅ  ｚｅｒｏ−ｐｏｗｅｒ  ＣＳＩ−ＲＳ  ｒｅｓｏｕｒｃｅ  ｃｏｎｆｉｇｕｒａｔｉｏｎ  ｗｈｉｃｈ  ｃａｎ  ｂｅ  ｃｏｎｆｉｇｕｒｅｄ  ｆｏｒ  ｔｈｅ  ＵＥ”の制限（すなわち、端末に設定されるＣＳＩ−ＩＭ  Ｒｅｓｏｕｒｃｅ  Ｃｏｎｆｉｇｕｒａｔｉｏｎ（ｓ）は５ｍｓ周期によって全てカバーされなければならない）を必ず満たすように定義されているので、このような制限に従う場合に、上述の互いに異なる制限されたＣＳＩ測定サブフレーム集合（Ｒｅｓｔｒｉｃｔｅｄ  ＣＳＩ  Ｍｅａｓｕｒｅｍｅｎｔ  ＳＦ  Ｓｅｔ）上にＣＳＩ−ＩＭ  Ｒｅｓｏｕｒｃｅが同時に分布するように設定することができない。なお、表３は、既存ＬＴＥ標準上の３ＧＰＰ  ＴＳ  ３６．２１３上のＣＳＩ−ＩＭ  Ｒｅｓｏｕｒｃｅ  Ｃｏｎｆｉｇｕｒａｔｉｏｎ（ｓ）とＺＰ（Ｚｅｒｏ  Ｐｏｗｅｒ）ＣＳＩ−ＲＳ  Ｒｅｓｏｕｒｃｅ  Ｃｏｎｆｉｇｕｒａｔｉｏｎ（ｓ）に関する内容を表すものである。
【０１０１】
【表３−１】
0006309649.tif 000011
【０１０２】
【表３−２】
0006309649.tif 000012
【０１０３】
【表３−３】
0006309649.tif 000013
【０１０４】
【表３−４】
0006309649.tif 000014
【０１０５】
【表３−５】
0006309649.tif 000015
【０１０６】
【表３−６】
0006309649.tif 000016
表４では、ＬＴＥ標準上の３ＧＰＰ  ＴＳ  ３６．３３１上のＣＳＩ−ＩＭ  Ｒｅｓｏｕｒｃｅ  Ｃｏｎｆｉｇｕｒａｔｉｏｎ（ｓ）とＺＰ（Ｚｅｒｏ  Ｐｏｗｅｒ）ＣＳＩ−ＲＳ  Ｒｅｓｏｕｒｃｅ  Ｃｏｎｆｉｇｕｒａｔｉｏｎ（ｓ）の関連内容を示している。
【０１０７】
【表４−１】
0006309649.tif 000017
【０１０８】
【表４−２】
0006309649.tif 000018
【０１０９】
【表４−３】
0006309649.tif 000019
【０１１０】
【表４−４】
0006309649.tif 000020
【０１１１】
【表４−５】
0006309649.tif 000021
【０１１２】
【表４−６】
0006309649.tif 000022
したがって、上述した問題を解決するために、既存ＣＳＩ−ＩＭ  Ｒｅｓｏｕｒｃｅ  Ｃｏｎｆｉｇｕｒａｔｉｏｎ（ｓ）設定／定義、或いは既存ＺＰ  ＣＳＩ−ＲＳ  Ｒｅｓｏｕｒｃｅ  Ｃｏｎｆｉｇｕｒａｔｉｏｎ（ｓ）設定／定義に修正が必要である。表５に、新しいＣＳＩ−ＩＭ  Ｒｅｓｏｕｒｃｅ  Ｃｏｎｆｉｇｕｒａｔｉｏｎ（ｓ）設定／定義方法に関する一例を示す。なお、表５で説明する設定／定義は、ＴＭ  １０として動作する端末にのみ限定的に適用することができる。
【０１１３】
【表５】
0006309649.tif 000023
まず、表５の［Ａｌｔ  ＃１］について具体的に説明すると、１つのＣＳＩプロセス上に１つのＲｅｌ−１２  ＣＳＩ−ＩＭ  Ｒｅｓｏｕｒｃｅ  Ｃｏｎｆｉｇｕｒａｔｉｏｎを与えるが、当該Ｒｅｌ−１２  ＣＳＩ  Ｒｅｓｏｕｒｃｅ  Ｃｏｎｆｉｇｕｒａｔｉｏｎは、既存（すなわち、１つの｛ｒｅｓｏｕｒｃｅＣｏｎｆｉｇ，ｓｕｂｆｒａｍｅＣｏｎｆｉｇ｝のみ定義される場合）と違い、最大２つの｛ｒｅｓｏｕｒｃｅＣｏｎｆｉｇ，ｓｕｂｆｒａｍｅＣｏｎｆｉｇ｝（すなわち、表４のＣＳＩ−ＩＭ−Ｃｏｎｆｉｇ  ＩＥを参照）と定義されてもよい。これによって、１つのＣＳＩプロセス上に、異なる周期／オフセット（及び／又はＲＥ位置）を有する最大２つのＣＳＩ−ＩＭ  Ｒｅｓｏｕｒｃｅ  Ｃｏｎｆｉｇｕｒａｔｉｏｎが設定される効果を得られる。
【０１１４】
一方、表５の［Ａｌｔ  ＃２」は、一つのＣＳＩプロセス上に最大２つのＣＳＩ−ＩＭ  Ｒｅｓｏｕｒｃｅ  Ｃｏｎｆｉｇｕｒａｔｉｏｎを設定するが、各ＣＳＩ−ＩＭ  Ｒｅｓｏｕｒｃｅ  Ｃｏｎｆｉｇｕｒａｔｉｏｎはそれぞれ１つの｛ｒｅｓｏｕｒｃｅＣｏｎｆｉｇ，ｓｕｂｆｒａｍｅＣｏｎｆｉｇ｝を有する方法である。ここで、１つのＣＳＩプロセス上に設定される最大２つのＣＳＩ−ＩＭ  Ｒｅｓｏｕｒｃｅ  Ｃｏｎｆｉｇｕｒａｔｉｏｎはそれぞれ異なるＣＳＩ−ＩＭ−ＣｏｎｆｉｇＩｄ（すなわち、表４のＣＳＩ−ＩＭ−ＣｏｎｆｉｇＩｄ  ＩＥを参照）を有する。
【０１１５】
以下に説明する本発明の実施例は、上述した表５の新しいＣＳＩ−ＩＭ  Ｒｅｓｏｕｒｃｅ  Ｃｏｎｆｉｇｕｒａｔｉｏｎ（ｓ）設定／定義が適用される場合に、ＺＰ  ＣＳＩ−ＲＳ  Ｒｅｓｏｕｒｃｅ  Ｃｏｎｆｉｇｕｒａｔｉｏｎ（ｓ）を効率的に設定／定義する方法を説明する。言い換えると、以下の実施例は、上記表５ベースの新しいＣＳＩ−ＩＭ  Ｒｅｓｏｕｒｃｅ  Ｃｏｎｆｉｇｕｒａｔｉｏｎ（ｓ）が現れるリソース領域を（ＰＤＳＣＨレートマッチング観点で）効率的にカバー／オーバーラップするためのＺＰ  ＣＳＩ−ＲＳ  Ｒｅｓｏｕｒｃｅ  Ｃｏｎｆｉｇｕｒａｔｉｏｎ（ｓ）設定／定義に関する。
【０１１６】
（第１方案）
一つのＺＰ  ＣＳＩ−ＲＳ  Ｒｅｓｏｕｒｃｅ  Ｃｏｎｆｉｇｕｒａｔｉｏｎ（例、Ｒｅｌ−１２  ＺＰ  ＣＳＩ−ＲＳ  Ｒｅｓｏｕｒｃｅ  Ｃｏｎｆｉｇｕｒａｔｉｏｎと解釈してもよい。）が、既存（すなわち、１つの｛ｒｅｓｏｕｒｃｅＣｏｎｆｉｇＬｉｓｔ，ｓｕｂｆｒａｍｅＣｏｎｆｉｇ｝のみ定義される場合）と違い、最大２つの｛ｒｅｓｏｕｒｃｅＣｏｎｆｉｇＬｉｓｔ，ｓｕｂｆｒａｍｅＣｏｎｆｉｇ｝（すなわち、表４のＣＳＩ−ＲＳ−ＣｏｎｆｉｇＺＰ  ＩＥを参照）と定義されるように設定することができる。
【０１１７】
例えば、第１方案によれば、１つのＺＰ  ＣＳＩ−ＲＳ  Ｒｅｓｏｕｒｃｅ  Ｃｏｎｆｉｇｕｒａｔｉｏｎ設定により、異なる周期／オフセット（及び／又はＲＥ位置）を有する最大２つのＺＰ  ＣＳＩ−ＲＳ  Ｒｅｓｏｕｒｃｅ  Ｃｏｎｆｉｇｕｒａｔｉｏｎが定義される効果を得ることができ、また、上記の表５ベースの新しいＣＳＩ−ＩＭ  Ｒｅｓｏｕｒｃｅ  Ｃｏｎｆｉｇｕｒａｔｉｏｎ（ｓ）が現れるリソース領域を（ＰＤＳＣＨレートマッチング観点で）カバー／オーバーラップすることが可能になる。また、第１方案は、１つのＣＳＩプロセス上に設定される１つのＣＳＩ−ＩＭ  Ｒｅｓｏｕｒｃｅ  Ｃｏｎｆｉｇｕｒａｔｉｏｎが、既存（すなわち、１つの｛ｒｅｓｏｕｒｃｅＣｏｎｆｉｇ，ｓｕｂｆｒａｍｅＣｏｎｆｉｇ｝のみ定義される場合）と違い、最大２つの｛ｒｅｓｏｕｒｃｅＣｏｎｆｉｇ，ｓｕｂｆｒａｍｅＣｏｎｆｉｇ｝（すなわち、表４のＣＳＩ−ＩＭ−Ｃｏｎｆｉｇ  ＩＥを参照）と定義される場合にのみ限定的に適用されるように設定されてもよい。したがって、第１方案の適用された場合について具体的に例示すると、表６のとおりである。
【０１１８】
【表６】
0006309649.tif 000024
他の例として、１つのＺＰ  ＣＳＩ−ＲＳ  Ｒｅｓｏｕｒｃｅ  Ｃｏｎｆｉｇｕｒａｔｉｏｎが表７のように定義されるように設定してもよい。ここで、表７は、１つのＺＰ  ＣＳＩ−ＲＳ  Ｒｅｓｏｕｒｃｅ  Ｃｏｎｆｉｇｕｒａｔｉｏｎが最大２つの｛ｒｅｓｏｕｒｃｅＣｏｎｆｉｇＬｉｓｔ，ｓｕｂｆｒａｍｅＣｏｎｆｉｇ（１）｝、｛ｒｅｓｏｕｒｃｅＣｏｎｆｉｇＬｉｓｔ，ｓｕｂｆｒａｍｅＣｏｎｆｉｇ（２）｝と定義されるものと解釈（すなわち、ｒｅｓｏｕｒｃｅＣｏｎｆｉｇＬｉｓｔは共通であり、ｓｕｂｆｒａｍｅＣｏｎｆｉｇだけ異なる形態）されてもよい。
【０１１９】
【表７】
0006309649.tif 000025
さらに、１つのＺＰ  ＣＳＩ−ＲＳ  Ｒｅｓｏｕｒｃｅ  Ｃｏｎｆｉｇｕｒａｔｉｏｎが最大２つの｛ｒｅｓｏｕｒｃｅＣｏｎｆｉｇＬｉｓｔ（１），ｓｕｂｆｒａｍｅＣｏｎｆｉｇ｝、｛ｒｅｓｏｕｒｃｅＣｏｎｆｉｇＬｉｓｔ（２），ｓｕｂｆｒａｍｅＣｏｎｆｉｇ｝と定義（すなわち、ｓｕｂｆｒａｍｅＣｏｎｆｉｇは共通であり、ｒｅｓｏｕｒｃｅＣｏｎｆｉｇＬｉｓｔだけ異なる形態）されてもよい。
【０１２０】
更に他の例として、ＺＰ  ＣＳＩ−ＲＳ  Ｒｅｓｏｕｒｃｅ  Ｃｏｎｆｉｇｕｒａｔｉｏｎのために適用される第１方案は、１つのＮＺＰ  ＣＳＩ−ＲＳ  Ｒｅｓｏｕｒｃｅ  Ｃｏｎｆｉｇｕｒａｔｉｏｎのためにも拡張適用が可能であり、これによって非周期的ＮＺＰ  ＣＳＩ−ＲＳ伝送が行われてもよい。また、この第１方案は、ＴＭ  １０として動作する端末にのみ限定的に適用されるように設定されてもよい。
【０１２１】
（第２方案）
本発明の第２方案によれば、上述した表５の新しいＣＳＩ−ＩＭ  Ｒｅｓｏｕｒｃｅ  Ｃｏｎｆｉｇｕｒａｔｉｏｎ（ｓ）が現れるリソース領域をＰＤＳＣＨレートマッチング観点でカバー／オーバーラップするために、最大２つのＺＰ  ＣＳＩ−ＲＳ  Ｒｅｓｏｕｒｃｅ  Ｃｏｎｆｉｇｕｒａｔｉｏｎ（ｓ）（例、Ｒｅｌ−１１  ＺＰ  ＣＳＩ−ＲＳ  Ｒｅｓｏｕｒｃｅ  Ｃｏｎｆｉｇｕｒａｔｉｏｎ（ｓ））が設定されてもよい。
【０１２２】
本発明の第１方案で、最大２つのＺＰ  ＣＳＩ−ＲＳ  Ｒｅｓｏｕｒｃｅ  Ｃｏｎｆｉｇｕｒａｔｉｏｎ（ｓ）（例、表８でＣＳＩ−ＲＳ−ＣｏｎｆｉｇＺＰ（１）とＣＳＩ−ＲＳ−ＣｏｎｆｉｇＺＰ（２））は、それぞれ異なるｃｓｉ−ＲＳ−ＣｏｎｆｉｇＺＰＩｄ（すなわち、表４のＣＳＩ−ＲＳ−ＣｏｎｆｉｇＺＰ  ＩＥを参照）を有する。
【０１２３】
この第２方案が適用された場合に関する具体的な一例は、表８のとおりである。また、一例として、この第２方案は、ＴＭ  １０として動作する端末にのみ限定的に適用されるように設定されてもよい。
【０１２４】
【表８】
0006309649.tif 000026
他の例として、表５の［Ａｌｔ  ＃１］ベースの新しいＣＳＩ−ＩＭ  Ｒｅｓｏｕｒｃｅ  Ｃｏｎｆｉｇｕｒａｔｉｏｎが設定される場合に、最大２つの｛ｒｅｓｏｕｒｃｅＣｏｎｆｉｇＬｉｓｔ，ｓｕｂｆｒａｍｅＣｏｎｆｉｇ｝を（ＰＤＳＣＨレートマッチング観点で）カバー／オーバーラップするために、この第２方案で説明した異なるｃｓｉ−ＲＳ−ＣｏｎｆｉｇＺＰＩｄを有する最大２つのＺＰ  ＣＳＩ−ＲＳ  Ｒｅｓｏｕｒｃｅ  Ｃｏｎｆｉｇｕｒａｔｉｏｎ（ｓ）が設定されてもよい。
【０１２５】
ここで、特定｛ｒｅｓｏｕｒｃｅＣｏｎｆｉｇＬｉｓｔ，ｓｕｂｆｒａｍｅＣｏｎｆｉｇ｝ベースのＣＳＩ−ＩＭ  Ｒｅｓｏｕｒｃｅが１つのｃｓｉ−ＲＳ−ＣｏｎｆｉｇＺＰＩｄベースのＺＰ  ＣＳＩ−ＲＳ  Ｒｅｓｏｕｒｃｅ  Ｃｏｎｆｉｇｕｒａｔｉｏｎと連動関係（Ｌｉｎｋａｇｅ）を有するように更なるシグナリング（或いは、暗黙的な設定）が定義されてもよい。
【０１２６】
（第３方案）
既存（Ｌｅｇａｃｙ）無線通信システムによってＴＭ  １〜９として動作する端末には、（特定セルに対して）１つのＺＰ  ＣＳＩ−ＲＳ  Ｒｅｓｏｕｒｃｅ  Ｃｏｎｆｉｇｕｒａｔｉｏｎだけが設定されるようになっている。しかし、無線リソース用途の動的変更モードとして動作するセル（すなわち、“ｅＩＭＴＡ−ｅｎａｂｌｅｄ  Ｃｅｌｌ”）上にはＴＭ１〜９として動作する端末とＴＭ  １０として動作する端末とが混在しうる。
【０１２７】
仮に、ＴＭ  １０として動作する端末が、ｉ）上述した表５ベースの新しいＣＳＩ−ＩＭ  Ｒｅｓｏｕｒｃｅ  Ｃｏｎｆｉｇｕｒａｔｉｏｎ（ｓ）設定／定義によって運営されたり、及び／又はｉｉ）上述した第１方案或いは第２方案ベースの新しいＺＰ  ＣＳＩ−ＲＳ  Ｒｅｓｏｕｒｃｅ  Ｃｏｎｆｉｇｕｒａｔｉｏｎ（ｓ）設定／定義が適用されると、当該セル上でＴＭ１〜９として動作する端末に、流動下りリンクリソース集合（例えば、ＳＩＢ１  ＵＬ−ＤＬ  Ｃｏｎｆｉｇｕｒａｔｉｏｎ上のＵＬ  ＳＦ（ｓ）及び／又はＳ  ＳＦ（ｓ）のうち、ＲＲＣ−Ｃｏｎｆｉｇｕｒｅｄ  ＤＬ  Ｒｅｆｅｒｅｎｃｅ  Ｃｏｎｆｉｇｕｒａｔｉｏｎ上でＤＬ  ＳＦ（ｓ）として使用されるサブフレーム）における、正しいＰＤＳＣＨ  ＲＥマッピング仮定（及び／又はＥＰＤＣＣＨ  ＲＥマッピング仮定）を知らせる必要がある。
【０１２８】
したがって、本発明では、ＴＭ１〜９として動作する端末に最大２つのＺＰ  ＣＳＩ−ＲＳ  Ｒｅｓｏｕｒｃｅ  Ｃｏｎｆｉｇｕｒａｔｉｏｎら（例、Ｒｅｌ−１１  ＺＰ  ＣＳＩ−ＲＳ  Ｒｅｓｏｕｒｃｅ  Ｃｏｎｆｉｇｕｒａｔｉｏｎ）が設定されてもよい。ここで、一例として、各ＺＰ  ＣＳＩ−ＲＳ  Ｒｅｓｏｕｒｃｅ  Ｃｏｎｆｉｇｕｒａｔｉｏｎ（例、表９でｚｅｒｏＴｘＰｏｗｅｒＣＳＩ−ＲＳ（１）とｚｅｒｏＴｘＰｏｗｅｒＣＳＩ−ＲＳ（２））はそれぞれ１つの｛ｚｅｒｏＴｘＰｏｗｅｒＲｅｓｏｕｒｃｅＣｏｎｆｉｇＬｉｓｔ，ｚｅｒｏＴｘＰｏｗｅｒＳｕｂｆｒａｍｅＣｏｎｆｉｇ｝を有するように定義されてもよい。また、一例として、このような規則（すなわち、ＴＭ１〜９として動作する端末に最大２つのＺＰ  ＣＳＩ−ＲＳ  Ｒｅｓｏｕｒｃｅ  Ｃｏｎｆｉｇｕｒａｔｉｏｎが設定される規則）は、ＴＭ１〜９として動作する端末に、制限されたＣＳＩ測定（或いは、リソース特定ＣＳＩ測定（Ｒｅｓｏｕｒｃｅ−Ｓｐｅｃｉｆｉｃ  ＣＳＩ  Ｍｅａｓｕｒｅｍｅｎｔ））が設定された場合にのみ限定的に適用されるように定義されてもよい。
【０１２９】
したがって、この第３方案によれば、上述した表５ベースの新しいＣＳＩ−ＩＭ  Ｒｅｓｏｕｒｃｅ  Ｃｏｎｆｉｇｕｒａｔｉｏｎ（ｓ）設定／定義方法で運営されるＴＭ  １０動作にかかわらず、ＴＭ１〜９として動作する端末に（流動下りリンクリソース集合における）正しいＰＤＳＣＨ  ＲＥマッピング仮定（及び／又はＥＰＤＣＣＨ  ＲＥマッピング仮定）を知らせることができる。
【０１３０】
本発明が適用された例は、表９のとおりである。表９は、上記の表４でＲｅｌ−１０のＣＳＩ−ＲＳ−Ｃｏｎｆｉｇ  ＩＥ形態に基づいて第３方案を具現した場合を例示し、表１０は、上記の表４でＲｅｌ−１１のＣＳＩ−ＲＳ−ＣｏｎｆｉｇＺＰ  ＩＥ形態に基づいて第３方案を具現した場合（すなわち、ＴＭ  １０として動作する端末にも拡張適用が可能）を例示する。
【０１３１】
【表９】
0006309649.tif 000027
【０１３２】
【表１０】
0006309649.tif 000028
他の例として、ＴＭ１〜９として動作する端末に１つのＺＰ  ＣＳＩ−ＲＳ  Ｒｅｓｏｕｒｃｅ  Ｃｏｎｆｉｇｕｒａｔｉｏｎが、表１１でｚｅｒｏＴｘＰｏｗｅｒＣＳＩ−ＲＳのような形態で設定されてもよい。表１１のような設定は、１つのＺＰ  ＣＳＩ−ＲＳ  Ｒｅｓｏｕｒｃｅ  Ｃｏｎｆｉｇｕｒａｔｉｏｎが最大２つの｛ｚｅｒｏＴｘＰｏｗｅｒＲｅｓｏｕｒｃｅＣｏｎｆｉｇＬｉｓｔ（１），ｚｅｒｏＴｘＰｏｗｅｒＳｕｂｆｒａｍｅＣｏｎｆｉｇ（１）｝、｛ｚｅｒｏＴｘＰｏｗｅｒＲｅｓｏｕｒｃｅＣｏｎｆｉｇＬｉｓｔ（２），ｚｅｒｏＴｘＰｏｗｅｒＳｕｂｆｒａｍｅＣｏｎｆｉｇ（２）｝と定義されるものと解釈されてもよい。
【０１３３】
なお、表１１のような設定は、１つのＺＰ  ＣＳＩ−ＲＳ  Ｒｅｓｏｕｒｃｅ  Ｃｏｎｆｉｇｕｒａｔｉｏｎ設定により、異なる周期／オフセット（及び／又はＲＥ位置）を有する最大２つのＺＰ  ＣＳＩ−ＲＳ  Ｒｅｓｏｕｒｃｅ  Ｃｏｎｆｉｇｕｒａｔｉｏｎが定義される効果を得ることができる。
【０１３４】
【表１１】
0006309649.tif 000029
更に他の例として、ＴＭ１〜９として動作する端末に１つのＺＰ  ＣＳＩ−ＲＳ  Ｒｅｓｏｕｒｃｅ  Ｃｏｎｆｉｇｕｒａｔｉｏｎが最大２つの｛ｚｅｒｏＴｘＰｏｗｅｒＲｅｓｏｕｒｃｅＣｏｎｆｉｇＬｉｓｔ，ｚｅｒｏＴｘＰｏｗｅｒＳｕｂｆｒａｍｅＣｏｎｆｉｇ（１）｝、｛ｚｅｒｏＴｘＰｏｗｅｒＲｅｓｏｕｒｃｅＣｏｎｆｉｇＬｉｓｔ，ｚｅｒｏＴｘＰｏｗｅｒＳｕｂｆｒａｍｅＣｏｎｆｉｇ（２）｝と定義された形態、すなわち、ｚｅｒｏＴｘＰｏｗｅｒＲｅｓｏｕｒｃｅＣｏｎｆｉｇＬｉｓｔは共通であり、ｚｅｒｏＴｘＰｏｗｅｒＳｕｂｆｒａｍｅＣｏｎｆｉｇだけ異なる形態で設定されてもよい。
【０１３５】
さらに、ＴＭ１〜９として動作する端末に１つのＺＰ  ＣＳＩ−ＲＳ  Ｒｅｓｏｕｒｃｅ  Ｃｏｎｆｉｇｕｒａｔｉｏｎが最大２つの｛ｚｅｒｏＴｘＰｏｗｅｒＲｅｓｏｕｒｃｅＣｏｎｆｉｇＬｉｓｔ（１），ｚｅｒｏＴｘＰｏｗｅｒＳｕｂｆｒａｍｅＣｏｎｆｉｇ｝、｛ｚｅｒｏＴｘＰｏｗｅｒＲｅｓｏｕｒｃｅＣｏｎｆｉｇＬｉｓｔ（２），ｚｅｒｏＴｘＰｏｗｅｒＳｕｂｆｒａｍｅＣｏｎｆｉｇ｝と定義された形態、すなわち、ｚｅｒｏＴｘＰｏｗｅｒＳｕｂｆｒａｍｅＣｏｎｆｉｇは共通であり、ｚｅｒｏＴｘＰｏｗｅｒＲｅｓｏｕｒｃｅＣｏｎｆｉｇＬｉｓｔだけ異なる形態で設定されてもよい。
【０１３６】
更に他の例として、ＺＰ  ＣＳＩ−ＲＳ  Ｒｅｓｏｕｒｃｅ  Ｃｏｎｆｉｇｕｒａｔｉｏｎのために適用される第３方案は、１つのＮＺＰ  ＣＳＩ−ＲＳ  Ｒｅｓｏｕｒｃｅ  Ｃｏｎｆｉｇｕｒａｔｉｏｎのためにも拡張適用が可能であり、これによって非周期的ＮＺＰ  ＣＳＩ−ＲＳ伝送を具現することが可能になる。また、この第３方案は、ＴＭ１〜９として動作する端末にのみ限定的に適用されるように設定されてもよい。
【０１３７】
（第４方案）
基地局は、ＴＭ  １０として動作する端末に、ＤＣＩ  Ｆｏｒｍａｔ  ２Ｄ上に定義されたＰＤＳＣＨ  ＲＥ  Ｍａｐｐｉｎｇ  ａｎｄ  Ｑｕａｓｉ−Ｃｏ−Ｌｏｃａｔｉｏｎ  Ｉｎｄｉｃａｔｏｒ  ｆｉｅｌｄ（すなわち、“ＰＱＩフィールド”）を用いて、特定サブフレームで行われたＰＤＳＣＨ  ＲＥマッピングに対する仮定を知らせることができる。
【０１３８】
表１２は、既存無線通信システムにおけるＰＤＳＣＨリソースマッピング動作を示す。表１２に示すように、ＴＭ  １０として動作する端末には（搬送周波数（Ｃａｒｒｉｅｒ  Ｆｒｅｑｕｅｎｃｙ）当たり）最大４個のＺＰ  ＣＳＩ−ＲＳ  Ｒｅｓｏｕｒｃｅ  Ｃｏｎｆｉｇｕｒａｔｉｏｎを設定することができる。しかし、特定セルが無線リソース動的変更モードとＣｏＭＰ動作モード（すなわち、ＴＭ  １０）を同時に運営する場合に、上述した第１方案乃至第３方案の少なくとも一つによって、最大２つのＺＰ  ＣＳＩ−ＲＳ  Ｒｅｓｏｕｒｃｅ  Ｃｏｎｆｉｇｕｒａｔｉｏｎ（ｓ）が（ＣｏＭＰ動作に参加する異なるセルに対する干渉測定用途にそれぞれ利用されるのではなく）、特定の１つのセル（すなわち、ｅＩＭＴＡ−ｅｎａｂｌｅｄ  Ｃｅｌｌ）上に設定された上記表５ベースの新しいＣＳＩ−ＩＭ  Ｒｅｓｏｕｒｃｅ  Ｃｏｎｆｉｇｕｒａｔｉｏｎ（ｓ）が現れるリソース領域を（ＰＤＳＣＨレートマッチング観点で）カバー／オーバーラップするために利用される（例、さらに、最大２つのＺＰ  ＣＳＩ−ＲＳ  Ｒｅｓｏｕｒｃｅ  Ｃｏｎｆｉｇｕｒａｔｉｏｎ（ｓ）が当該特定の一つのセルに対する干渉測定用途に利用されるとも解釈可能）。このため、このようなＺＰ  ＣＳＩ−ＲＳ  Ｒｅｓｏｕｒｃｅ  Ｃｏｎｆｉｇｕｒａｔｉｏｎ（ｓ）使用は、ＣｏＭＰ動作から得られる性能利得に減少をもたらす。
【０１３９】
【表１２−１】
0006309649.tif 000030
【０１４０】
【表１２−２】
0006309649.tif 000031
上述した問題を解決するために、少なくとも一つ（すなわち、一部或いは全ての）ＰＱＩフィールド値に（最大）２つのＺＰ  ＣＳＩ−ＲＳ  Ｒｅｓｏｕｒｃｅ  Ｃｏｎｆｉｇｕｒａｔｉｏｎ（ｓ）（例、Ｒｅｌ−１１  ＺＰ  ＣＳＩ−ＲＳ  Ｒｅｓｏｕｒｃｅ  Ｃｏｎｆｉｇｕｒａｔｉｏｎ（ｓ））が上位層シグナル（例、ＲＲＣシグナリング）を通じて設定されてもよい。ここで、少なくとも一つ（すなわち、一部或いは全ての）ＰＱＩフィールド値に設定される（最大）２つのＺＰ  ＣＳＩ−ＲＳ  Ｒｅｓｏｕｒｃｅ  Ｃｏｎｆｉｇｕｒａｔｉｏｎ（ｓ）は、上述した第１方案乃至第３方案のうち少なくとも一つによって具現することができる。
【０１４１】
具体例として、（最大）２つのＺＰ  ＣＳＩ−ＲＳ  Ｒｅｓｏｕｒｃｅ  Ｃｏｎｆｉｇｕｒａｔｉｏｎ（ｓ）は、互いに異なる、独立したＣＳＩ−ＲＳ−ＣｏｎｆｉｇＺＰ（１）、ＣＳＩ−ＲＳ−ＣｏｎｆｉｇＺＰ（２）と定義（すなわち、ｃｓｉ−ＲＳ−ＣｏｎｆｉｇＺＰＩｄ、ｒｅｓｏｕｒｃｅＣｏｎｆｉｇＬｉｓｔ、ｓｕｂｆｒａｍｅＣｏｎｆｉｇが異なるように設定）されてもよい。この提案方案４が適用された場合は、表１３のとおりである。
【０１４２】
【表１３】
0006309649.tif 000032
他の例として、少なくとも一つの（すなわち、一部或いは全ての）ＰＱＩフィールド値に、上述の第１方案で定義された新しい一つのＺＰ  ＣＳＩ−ＲＳ  Ｒｅｓｏｕｒｃｅ  Ｃｏｎｆｉｇｕｒａｔｉｏｎ（例、Ｒｅｌ−１２  ＺＰ  ＣＳＩ−ＲＳ  Ｒｅｓｏｕｒｃｅ  Ｃｏｎｆｉｇｕｒａｔｉｏｎ）が上位層シグナル（例、ＲＲＣシグナリング）を通じて設定されてもよい。
【０１４３】
ここで、この第４方案によって少なくとも一つの（すなわち、一部或いは全ての）ＰＱＩフィールド値に新しい１つのＺＰ  ＣＳＩ−ＲＳ  Ｒｅｓｏｕｒｃｅ  Ｃｏｎｆｉｇｕｒａｔｉｏｎが設定（すなわち、ｃｓｉ−ＲＳ−ＣｏｎｆｉｇＺＰＩｄが１つである）されるが、実際には、異なる周期／オフセット（及び／又はＲＥ位置）を有する最大２つのＺＰ  ＣＳＩ−ＲＳ  Ｒｅｓｏｕｒｃｅ  Ｃｏｎｆｉｇｕｒａｔｉｏｎが定義されるのと同じ効果を得ることができる。
【０１４４】
この第４方案が適用された場合の例は、表１４のとおりである。更に他の例として、ＺＰ  ＣＳＩ−ＲＳ  Ｒｅｓｏｕｒｃｅ  Ｃｏｎｆｉｇｕｒａｔｉｏｎのために適用される第４方案は、１つのＮＺＰ  ＣＳＩ−ＲＳ  Ｒｅｓｏｕｒｃｅ  Ｃｏｎｆｉｇｕｒａｔｉｏｎのためにも拡張適用が可能であり、これを用いて、非周期的ＮＺＰ  ＣＳＩ−ＲＳ伝送が行われてもよい。
【０１４５】
【表１４】
0006309649.tif 000033
また、この第４方案は、ＴＭ  １０として動作する端末にのみ限定的に適用されるように設定されてもよい。
【０１４６】
更に他の例として、ＴＭ  １０でデータを受信する端末がＥＰＤＣＣＨモニタリングを行うように設定された場合、それぞれの（Ｃｏｎｆｉｇｕｒｅｄ）ＥＰＤＣＣＨ−ＰＲＢ−Ｓｅｔの正しいＥＰＤＣＣＨ  ＲＥマッピング仮定（及び／又はＥＰＤＣＣＨ  Ａｎｔｅｎｎａ  Ｐｏｒｔ  Ｑｕａｓｉ  Ｃｏ−ｌｏｃａｔｉｏｎ仮定）のために、当該端末は基地局から上位層シグナルを通じてＥＰＤＣＣＨ−ＰＲＢ−Ｓｅｔ別にｒｅ−ＭａｐｐｉｎｇＱＣＬ−ＣｏｎｆｉｇＩｄ−ｒ１１パラメータを受信する。ここで、ＥＰＤＣＣＨ−ＰＲＢ−Ｓｅｔ別に設定／シグナルされるｒｅ−ＭａｐｐｉｎｇＱＣＬ−ＣｏｎｆｉｇＩｄ−ｒ１１パラメータは、表１２で説明した、ＰＱＩ  Ｓｔａｔｅ別に設定されるＰＤＳＣＨ  ＲＥマッピング仮定（及び／又はＰＤＳＣＨ  Ａｎｔｅｎｎａ  Ｐｏｒｔ  Ｑｕａｓｉ  Ｃｏ−ｌｏｃａｔｉｏｎ仮定）関連パラメータ集合、すなわち、｛ｃｒｓ−ＰｏｒｔｓＣｏｕｎｔ−ｒ１１，ｃｒｓ−ＦｒｅｑＳｈｉｆｔ−ｒ１１，ｍｂｓｆｎ−ＳｕｂｆｒａｍｅＣｏｎｆｉｇＬｉｓｔ−ｒ１１，ｃｓｉ−ＲＳ−ＣｏｎｆｉｇＺＰＩｄ−ｒ１１，ｐｄｓｃｈ−Ｓｔａｒｔ−ｒ１１，ｑｃｌ−ＣＳＩ−ＲＳ−ＣｏｎｆｉｇＮＺＰＩｄ−ｒ１１｝のうち一つを意味する。
【０１４７】
この場合、第４方案は、既存のＥＰＤＣＣＨ−ＰＲＢ−Ｓｅｔ別ｒｅ−ＭａｐｐｉｎｇＱＣＬ−ＣｏｎｆｉｇＩｄ−ｒ１１パラメータ設定／マッチング過程を同一に維持しながら、静的下りリンクリソース集合だけでなく流動下りリンクリソース集合上にでの個別（Ｃｏｎｆｉｇｕｒｅｄ）ＥＰＤＣＣＨ−ＰＲＢ−Ｓｅｔの正しいＥＰＤＣＣＨ  ＲＥマッピング仮定（及び／又はＥＰＤＣＣＨ  Ａｎｔｅｎｎａ  Ｐｏｒｔ  Ｑｕａｓｉ  Ｃｏ−ｌｏｃａｔｉｏｎ仮定）を知らせるようになる。
【０１４８】
（第５方案）
第１方案乃至第４方案が適用される場合に、以下に記述する設定＃Ａ乃至設定＃Ｃのうち少なくとも一つが適用されるように設定されてもよい。
【０１４９】
●設定＃Ａ：表５の新しいＣＳＩ−ＩＭ  Ｒｅｓｏｕｒｃｅ  Ｃｏｎｆｉｇｕｒａｔｉｏｎ（ｓ）設定／定義（すなわち、［Ａｌｔ  ＃１］、［Ａｌｔ  ＃２］）において１つのＣＳＩプロセス上に設定される異なるＣＳＩ−ＩＭ−ＣｏｎｆｉｇＩｄベースの最大２つのＣＳＩ−ＩＭ  Ｒｅｓｏｕｒｃｅ（ｓ）及び／又は同一のＣＳＩ−ＩＭ−ＣｏｎｆｉｇＩｄ下に最大２つの｛ｒｅｓｏｕｒｃｅＣｏｎｆｉｇ，ｓｕｂｆｒａｍｅＣｏｎｆｉｇ｝と設定されるＣＳＩ−ＩＭ  Ｒｅｓｏｕｒｃｅ（ｓ）は、同一のサブフレーム時点で同時に現れたり重ならないように設定されなければならない。
【０１５０】
例えば、ＴＭ  １０として動作する端末（例、ｅＩＭＴＡ  ＵＥ）のＣＳＩプロセスに（２つの）ＣＳＩ  Ｓｕｂｆｒａｍｅ  Ｓｅｔ（ｓ）が設定され、端末が特定ＣＳＩ  Ｓｕｂｆｒａｍｅ  Ｓｅｔ関連干渉測定（Ｉｎｔｅｒｆｅｒｅｎｃｅ  Ｍｅａｓｕｒｅｍｅｎｔ）を、当該特定ＣＳＩ  Ｓｕｂｆｒａｍｅ  Ｓｅｔに属したＣＳＩ−ＩＭ  Ｒｅｓｏｕｒｃｅ（ｓ）のみを用いて行う場合、この設定＃Ａは、当該端末が（既存とは違い）任意のＳＦ時点（例、ＣＳＩ−ＩＭ  Ｒｅｓｏｕｒｃｅが存在する任意のＳＦ時点）で特定ＣＳＩ  Ｓｕｂｆｒａｍｅ  Ｓｅｔ関連干渉測定を８ＲＥ（ｓ）を用いて行うことを防止することができる。すなわち、この設定＃Ａの適用により、当該端末は、任意のサブフレーム時点（例、ＣＳＩ−ＩＭ  Ｒｅｓｏｕｒｃｅが存在する任意のＳＦ時点）で特定ＣＳＩ  Ｓｕｂｆｒａｍｅ  Ｓｅｔ関連干渉測定を（既存と同様に）４ＲＥ（ｓ）を用いて行うことが可能になる。
【０１５１】
また、この設定＃Ａにおいて、一つのサブフレーム時点で端末に対して複数個のＣＳＩ−ＩＭ  Ｒｅｓｏｕｒｃｅ（ｓ）が同じサブフレーム時点に同時に現れたり重なる場合、複数個のＣＳＩ−ＩＭ  Ｒｅｓｏｕｒｃｅ（ｓ）が時間リソース領域上で重なるが、周波数リソース領域上では重ならなくてもよい。
【０１５２】
また、この設定＃Ａが［Ａｌｔ  ＃１］に適用される場合、端末は、同じサブフレーム時点で同時に現れたり重なる異なるＣＳＩ−ＩＭ−ＣｏｎｆｉｇＩｄベースの最大２つのＣＳＩ−ＩＭ  Ｒｅｓｏｕｒｃｅ（ｓ）を期待しなくてもよい。
【０１５３】
さらに、［設定＃Ａ］が［Ａｌｔ  ＃２］に適用される場合、端末は、同じサブフレーム時点で同時に現れたり重なる同じＣＳＩ−ＩＭ−ＣｏｎｆｉｇＩｄ下の最大２つの｛ｒｅｓｏｕｒｃｅＣｏｎｆｉｇ，ｓｕｂｆｒａｍｅＣｏｎｆｉｇ｝と設定されるＣＳＩ−ＩＭ  Ｒｅｓｏｕｒｃｅ（ｓ）を期待しなくてもよい。
【０１５４】
●設定＃Ｂ：上記表５の新しいＣＳＩ−ＩＭ  Ｒｅｓｏｕｒｃｅ  Ｃｏｎｆｉｇｕｒａｔｉｏｎ（ｓ）設定／定義（すなわち、［Ａｌｔ  ＃１］、［Ａｌｔ  ＃２］）で１つのＣＳＩプロセス上に設定される異なるＣＳＩ−ＩＭ−ＣｏｎｆｉｇＩｄベースの最大２つのＣＳＩ−ＩＭ  Ｒｅｓｏｕｒｃｅ（ｓ）、及び／又は同じＣＳＩ−ＩＭ−ＣｏｎｆｉｇＩｄ下に最大２つの｛ｒｅｓｏｕｒｃｅＣｏｎｆｉｇ，ｓｕｂｆｒａｍｅＣｏｎｆｉｇ｝と設定されるＣＳＩ−ＩＭ  Ｒｅｓｏｕｒｃｅ（ｓ）が、同じサブフレーム時点で同時に現れたり重なる場合には、端末にとって、ｉ）相対的に低いＣＳＩ−ＩＭ−ＣｏｎｆｉｇＩｄを有するＣＳＩ−ＩＭ  Ｒｅｓｏｕｒｃｅ（すなわち、［Ａｌｔ  ＃１］の場合に有用である）だけが有効だと判断するように設定されたり、或いはｉｉ）相対的に長い周期（例、ｓｕｂｆｒａｍｅＣｏｎｆｉｇによって決定される）を有するＣＳＩ−ＩＭ  Ｒｅｓｏｕｒｃｅ（すなわち、［Ａｌｔ  ＃１］／［Ａｌｔ  ＃２］の場合に有用である）だけが有効だと判断するように設定されたり、或いはｉｉｉ）事前に定義されたりシグナルされた特定ＣＳＩ−ＩＭ  Ｒｅｓｏｕｒｃｅだけが有効だと判断するように設定されたり、或いはｉｖ）当該サブフレーム時点でＰＱＩフィールド（すなわち、ＤＣＩ  Ｆｏｒｍａｔ  ２Ｄ）によって指定された特定の１つのＺＰ  ＣＳＩ−ＲＳ  Ｒｅｓｏｕｒｃｅによって完全にカバーされるＣＳＩ−ＩＭ  Ｒｅｓｏｕｒｃｅ（ｓ）だけが有効だと判断する（例、ＰＱＩフィールドによって指定された特定の１つのＺＰ  ＣＳＩ−ＲＳ  Ｒｅｓｏｕｒｃｅが１つのＣＳＩ−ＩＭ  Ｒｅｓｏｕｒｃｅだけをカバーすると、当該１つのＣＳＩ−ＩＭ  Ｒｅｓｏｕｒｃｅだけが有効だと判断し、また、ＰＱＩフィールドによって指定された特定の１つのＺＰ  ＣＳＩ−ＲＳ  Ｒｅｓｏｕｒｃｅが２つのＣＳＩ−ＩＭ  Ｒｅｓｏｕｒｃｅをカバーすると、当該２つのＣＳＩ−ＩＭ  Ｒｅｓｏｕｒｃｅが有効だと判断する）ように設定されたり、或いはｖ）同じサブフレーム時点で同時に現れたり重なる（最大）２つのＣＳＩ−ＩＭ  Ｒｅｓｏｕｒｃｅを全てカバーできる（少なくとも）１つのＺＰ  ＣＳＩ−ＲＳ  Ｒｅｓｏｕｒｃｅが必ず設定される（すなわち、（最大）２つのＣＳＩ−ＩＭ  Ｒｅｓｏｕｒｃｅが同時に現れたり重なるサブフレーム時点ではＰＱＩフィールドで当該ＺＰ  ＣＳＩ−ＲＳ  Ｒｅｓｏｕｒｃｅを指定する）ように設定されてもよい。
【０１５５】
また、設定＃Ａ及び／又は設定＃Ｂは、同じサブフレーム時点で同時に現れたり重なる（［Ａｌｔ  ＃１］或いは［Ａｌｔ  ＃２］ベースの）各ＣＳＩ−ＩＭ  Ｒｅｓｏｕｒｃｅが、それぞれ独立した（Ｃｏｎｆｉｇｕｒｅｄ）ＺＰ  ＣＳＩ−ＲＳ  Ｒｅｓｏｕｒｃｅによってカバー（すなわち、表３の“Ａ  ＵＥ  ｉｓ  ｎｏｔ  ｅｘｐｅｃｔｅｄ  ｔｏ  ｒｅｃｅｉｖｅ  ａ  ＣＳＩ−ＩＭ  ｒｅｓｏｕｒｃｅ  ｃｏｎｆｉｇｕｒａｔｉｏｎ  ｔｈａｔ  ｉｓ  ｎｏｔ  ｃｏｍｐｌｅｔｅｌｙ  ｏｖｅｒｌａｐｐｉｎｇ  ｗｉｔｈ  ｏｎｅ  ｏｆ  ｔｈｅ  ｚｅｒｏ−ｐｏｗｅｒ  ＣＳＩ−ＲＳ  ｒｅｓｏｕｒｃｅ  ｃｏｎｆｉｇｕｒａｔｉｏｎｓ  ｄｅｆｉｎｅｄ  ｉｎ  ｓｕｂ−ｃｌａｕｓｅ  ７．２．７”内容を参照）されるが、各（Ｃｏｎｆｉｇｕｒｅｄ）ＺＰ  ＣＳＩ−ＲＳ  Ｒｅｓｏｕｒｃｅは同じサブフレーム時点で同時に現れたり重なる（最大）２つのＣＳＩ−ＩＭ  Ｒｅｓｏｕｒｃｅを全てカバーできない場合に有用である。
【０１５６】
すなわち、この場合には、同じサブフレーム時点で同時に現れたり重なる（最大）２つのＣＳＩ−ＩＭ  Ｒｅｓｏｕｒｃｅ（ｓ）上に同じ特性の干渉が現れたり受信されると仮定できないわけである。さらにいうと、当該サブフレーム時点で端末が仮定するＺＰ  ＣＳＩ−ＲＳ  Ｒｅｓｏｕｒｃｅは、ＰＱＩフィールド（すなわち、ＤＣＩ  Ｆｏｒｍａｔ  ２Ｄ）によって指示（Ｉｎｄｉｃａｔｉｏｎ）された特定の１つのＺＰ  ＣＳＩ−ＲＳ  Ｒｅｓｏｕｒｃｅであるが、ここで、ＰＱＩフィールドによって指定された当該特定の１つのＺＰ  ＣＳＩ−ＲＳ  Ｒｅｓｏｕｒｃｅが、同じサブフレーム時点で同時に現れたり重なる（最大）２つのＣＳＩ−ＩＭ  Ｒｅｓｏｕｒｃｅ（ｓ）を全てカバーできないことから、特定の１つのＣＳＩ−ＩＭ  Ｒｅｓｏｕｒｃｅの少なくとも一つ（すなわち、一部或いは全ての）領域では、サービングセルからのデータ（例、ＰＤＳＣＨ）送信が行われてもよく、このため、当該サブフレーム時点で同時に現れたり重なる（最大）２つのＣＳＩ−ＩＭ  Ｒｅｓｏｕｒｃｅ（ｓ）上に同一特性の干渉を仮定できないわけである。すなわち、特定の１つのＣＳＩ−ＩＭ  Ｒｅｓｏｕｒｃｅの少なくとも一つの（一部或いは全ての）領域では、ＰＱＩフィールドによって指定されたＱＣＬ特性関連（ｅＩＭＴＡ）ＴＰ（Ｔｒａｎｓｍｉｓｓｉｏｎ  Ｐｏｉｎｔ）が経る外部干渉ではなく、当該ＴＰのデータ伝送による干渉が現れることになる。
【０１５７】
●設定＃Ｃ：上述した第１方案乃至第４方案において、異なるｃｓｉ−ＲＳ−ＣｏｎｆｉｇＺＰＩｄベースの最大２つのＺＰ  ＣＳＩ−ＲＳ  Ｒｅｓｏｕｒｃｅ（ｓ）及び／又は同一ｃｓｉ−ＲＳ−ＣｏｎｆｉｇＺＰＩｄ下に最大２つの｛ｒｅｓｏｕｒｃｅＣｏｎｆｉｇＬｉｓｔ，ｓｕｂｆｒａｍｅＣｏｎｆｉｇ｝と設定されるＺＰ  ＣＳＩ−ＲＳ  Ｒｅｓｏｕｒｃｅ（ｓ）は、同一サブフレーム時点で同時に現れない（或いは重ならない）ように設定されなければならない。他の例として、仮にこのようなＺＰ  ＣＳＩ−ＲＳ  Ｒｅｓｏｕｒｃｅ（ｓ）が同一サブフレーム時点で同時に現れたり重なる場合には、端末は、事前に定義された規則（例、相対的に低いｃｓｉ−ＲＳ−ＣｏｎｆｉｇＺＰＩｄを有するＺＰ  ＣＳＩ−ＲＳ  Ｒｅｓｏｕｒｃｅだけが有効だと判断、或いは相対的に長い周期を有するＺＰ  ＣＳＩ−ＲＳ  Ｒｅｓｏｕｒｃｅだけが有効だと判断、或いは事前に定義された（或いはシグナルされた）特定ＺＰ  ＣＳＩ−ＲＳ  Ｒｅｓｏｕｒｃｅだけが有効だと判断）に基づいて特定の１つのＺＰ  ＣＳＩ−ＲＳ  Ｒｅｓｏｕｒｃｅだけが有効だと判断するように設定されてもよい。
【０１５８】
（第６方案）
上述した本発明の第１方案乃至第５方案は、表５で記述した新しいＣＳＩ−ＩＭ  Ｒｅｓｏｕｒｃｅ  Ｃｏｎｆｉｇｕｒａｔｉｏｎ（ｓ）設定／定義（すなわち、［Ａｌｔ  ＃１］、［Ａｌｔ  ＃２］）のいずれか一方にのみ限定的に適用されるように設定されてもよい。又は、上述した本発明の第１方案乃至第５方案は、特定ＴＭ（例えば、ＴＭ  １０或いはＴＭ  １〜９）でのみ限定的に適用されるように設定されてもよい。
【０１５９】
なお、上述した本発明の実施例は、無線リソース用途の動的変更モードが設定（Ｃｏｎｆｉｇｕｒａｔｉｏｎ）された場合にのみ限定的に適用されるように設定されてもよい。さらに、上述した本発明の実施例は、無線リソース用途変更情報が物理的チャネルシグナルだけでなく、事前に定義されたシステム情報伝送チャネル（例、ＳＩＢ、ＰＢＣＨ（ＭＩＢ）、ページング）で送信されるように設定された場合においても拡張して適用可能である。
【０１６０】
また、上述した本発明の実施例は、ｉ）ＥＰＤＣＣＨ  ＲＥマッピング仮定、或いはｉｉ）ＥＰＤＣＣＨ  Ａｎｔｅｎｎａ  Ｐｏｒｔ  Ｑｕａｓｉ  Ｃｏ−ｌｏｃａｔｉｏｎ仮定、或いはｉｉｉ）ＰＤＳＣＨ  ＲＥマッピング仮定、或いはｉｖ）ＰＤＳＣＨ  Ａｎｔｅｎｎａ  Ｐｏｒｔ  Ｑｕａｓｉ  Ｃｏ−ｌｏｃａｔｉｏｎ仮定、のうち少なくとも一つに関する設定のために限定的に用いられるように設定されてもよい。
【０１６１】
また、上述した本発明の実施例／設定／規則も、本発明を実行するための一つの実施例として判断することができ、それぞれは一つの独立した実施例と見なされてもよいことは明らかである。また、上述した本発明の実施例は、独立して具現されてもよいが、一部の実施例の組合せ或いは併合の形態で具現されてもよい。
【０１６２】
また、上述した本発明の実施例は、ｉ）事前に定義された個数のチャネル状態推定プロセスが設定された場合、及び／又はｉｉ）制限されたＣＳＩ測定（或いは、リソース特定ＣＳＩ測定）が設定された場合、及び／又はｉｉｉ）特定チャネル状態情報報告のタイプ（例、周期的チャネル状態情報報告、非周期的チャネル状態情報報告）が設定された場合、及び／又はｉｖ）特定送信モード（ＴＭ）（例えば、ＴＭ  １０或いはＴＭ  １〜９）が設定された場合、及び／又はｖ）特定上りリンク−下りリンク設定（ＵＬ−ＤＬ  Ｃｏｎｆｉｇｕｒａｔｉｏｎ）が設定された場合にのみ限定的に適用されるように設定されてもよい。
【０１６３】
図１１には、本発明の一実施例に適用可能な基地局及びユーザ機器を例示する。無線通信システムにリレーが含まれる場合、バックホールリンクでは通信が基地局とリレー間に行われ、アクセスリンクでは通信がリレーとユーザ機器間に行われる。したがって、図面に例示された基地局又はユーザ機器は状況によってリレーに代替されてもよい。
【０１６４】
図１１を参照すると、無線通信システムは、基地局（ＢＳ）１１０及びユーザ機器（ＵＥ）１２０を含む。基地局１１０は、プロセッサ１１２、メモリ１１４及び無線周波数（Ｒａｄｉｏ  Ｆｒｅｑｕｅｎｃｙ；ＲＦ）ユニット１１６を備える。プロセッサ１１２は、本発明で提案した手順及び／又は方法を具現するように構成されてもよい。メモリ１１４は、プロセッサ１１２と接続され、プロセッサ１１２の動作と関連した様々な情報を記憶する。ＲＦユニット１１６は、プロセッサ１１２と接続され、無線信号を送信及び／又は受信する。ユーザ機器１２０は、プロセッサ１２２、メモリ１２４及びＲＦユニット１２６を備える。プロセッサ１２２は、本発明で提案した手順及び／又は方法を具現するように構成されてもよい。メモリ１２４は、プロセッサ１２２と接続され、プロセッサ１２２の動作と関連した様々な情報を記憶する。ＲＦユニット１２６は、プロセッサ１２２と接続され、無線信号を送信及び／又は受信する。基地局１１０及び／又はユーザ機器１２０は、単一アンテナ又は多重アンテナを有することができる。
【０１６５】
以上に説明した実施例は、本発明の構成要素と特徴を所定の形態で結合したものである。各構成要素又は特徴は、別の明示的な言及がない限り、選択的なものとして考慮しなければならない。各構成要素又は特徴は、他の構成要素や特徴と結合していない形態で実施することができる。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、他の実施例の対応する構成又は特徴に取って代わってもよい。特許請求の範囲で明示的な引用関係にない請求項を結合して実施例を構成したり、出願後の補正によって新しい請求項として含めたりできることは明らかである。
【０１６６】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１６７】
ファームウェアやソフトウェアによる具現の場合、本発明の一実施例は、以上で説明した機能又は動作を実行するモジュール、手順、関数などの形態として具現することができる。ソフトウェアコードはメモリユニットに記憶され、プロセッサによって駆動されてもよい。メモリユニットは、プロセッサの内部又は外部に設けられ、既に公知の様々な手段によってプロセッサとデータを交換することができる。
【０１６８】
本発明は、本発明の特徴から逸脱しない範囲で他の特定の形態として具体化されてもよいことは当業者には自明である。このため、上記の詳細な説明は、いずれの面においても制限的に解釈されてはならず、例示的なものとして考慮されなければならない。本発明の範囲は、添付した請求項の合理的な解釈によって決定されなければならず、本発明の等価的な範囲内における変更はいずれも本発明の範囲に含まれる。
【産業上の利用可能性】
【０１６９】
上述したような無線通信システムにおいて干渉測定リソースを設定する方法及びそのための装置は、３ＧＰＰ  ＬＴＥシステムに適用される例を中心に説明したが、３ＧＰＰ  ＬＴＥシステムの他、様々な無線通信システムにも適用可能である。
【図１】
0006309649.tif 000034
【図２】
0006309649.tif 000035
【図３】
0006309649.tif 000036
【図４】
0006309649.tif 000037
【図５】
0006309649.tif 000038
【図６】
0006309649.tif 000039
【図７】
0006309649.tif 000040
【図８】
0006309649.tif 000041
【図９】
0006309649.tif 000042
【図１０】
0006309649.tif 000043
【図１１】
0006309649.tif 000044